(57)【特許請求の範囲】
【請求項１】
低周波信号（ＢＦ）を放射するアンテナ（ＴＸ）とともに、物体（Ｏ）の存在を検出するためのユニット（ＰＳＵ）を構成しており、少なくとも１つの検出部材（ＥＡ／ＥＢ）を備えている存在検出装置（ＣＡＰＴ）であって、該検出部材（ＥＡ／ＥＢ）の各々は、該検出部材（ＥＡ／ＥＢ）の各々が位置している周囲環境に応じて変化する物理量（ＣＥ）であって、前記物体（Ｏ）の存在していない状態に対応する可変の基準レベル（ＲＥＦ）が導出される物理量（ＣＥ）を検出可能である存在検出装置（ＣＡＰＴ）において、
前記存在検出装置（ＣＡＰＴ）は、
−  前記検出部材（ＥＡ／ＥＢ）により検出可能な物理量（ＣＥ）を測定することができ、
−  前記物体（Ｏ）の検出前、又は前記アンテナ（ＴＸ）による前記低周波信号（ＢＦ）の放射前において、前記基準レベル（ＲＥＦ）の値を保存し、
−  前記物理量（ＣＥ）と、前記基準レベル（ＲＥＦ）の保存されている値とを比較することができ、
−  前記アンテナ（ＴＸ）による低周波信号（ＢＦ）の放射中、該低周波信号（ＢＦ）の放射の前に測定された前記基準レベル（ＲＥＦ）の値を保存しておくことができる保存装置（ＬＯＧＩＣ）をさらに備えており、
前記保存装置（ＬＯＧＩＣ）は、
−  前記物体（Ｏ）の検出前、又は前記アンテナ（ＴＸ）による前記低周波信号（ＢＦ）の放射前において、予め定めた時間周期（ｔｓ）で前記基準レベル（ＲＥＦ）を測定し、変化した基準レベル（ＲＥＦ）の値を一時保存することにより、前記時間周期（ｔｓ）で前記基準レベル（ＲＥＦ）を更新する操作を繰り返すようになっており、
−  前記物体（Ｏ）の存在が検出されるとすぐに、又は前記アンテナ（ＴＸ）から前記低周波信号（ＢＦ）が放射されるとすぐに、前記基準レベル（ＲＥＦ）の更新を一時停止させて、この一時停止直前に更新された前記基準レベル（ＲＥＦ）を、前記低周波信号（ＢＦ）の放射中に保存しておくことができるようになっており、かつ、
−  前記アンテナ（ＴＸ）による前記低周波信号（ＢＦ）の放射の終了後に、前記放射中における前記基準レベル（ＲＥＦ）の保存動作を解除することができるようになっていることを特徴とする存在検出装置（ＣＡＰＴ）。
【請求項２】
前記物理量（ＣＥ）は容量である、請求項１に記載の存在検出装置（ＣＡＰＴ）。
【請求項３】
前記物理量（ＣＥ）は光束である、請求項１に記載の存在検出装置（ＣＡＰＴ）。
【請求項４】
−  前記アンテナ（ＴＸ）による前記低周波信号（ＢＦ）の放射の開始を検出する低周波検出素子（ＣＭＰ）をさらに備えている、請求項１〜３のいずれか１つに記載の存在検出装置（ＣＡＰＴ）。
【請求項５】
前記低周波信号（ＢＦ）を放射するためのアンテナ（ＴＸ）と共通の電源によって電力供給される、請求項１〜４のいずれか１つに記載の存在検出装置（ＣＡＰＴ）。
【請求項６】
前記アンテナ（ＴＸ）による前記低周波信号（ＢＦ）の放射中、該低周波信号（ＢＦ）を放射することができるアンテナ（ＴＸ）の励振電圧によって電力供給される、請求項１〜５のいずれか１つに記載の存在検出装置（ＣＡＰＴ）。
【請求項７】
入力電圧（Ｖｉｎ）から電力供給されるように構成されており、該入力電圧（Ｖｉｎ）からの電気エネルギーを蓄える入力キャパシタ（Ｃ２）をさらに備えている、請求項１〜６のいずれか１つに記載の存在検出装置（ＣＡＰＴ）。
【請求項８】
−  前記検出部材（ＥＡ／ＥＢ）が、前記物体（Ｏ）の存在を検出したときに、出力電気量（ＩＡ／ＩＢ、ＵＡ／ＵＢ、ＩＡＢ、ＵＡＢ）を発生させるために、該検出部材（ＥＡ／ＥＢ）に組み合わされた測定手段（ＧＡ／ＧＢ、ＴＡ／ＴＢ、ＧＡＢ、ＴＡＢ）をさらに備えている、請求項１〜７のいずれか１つに記載の存在検出装置（ＣＡＰＴ）。
【請求項９】
−  前記測定手段（ＧＡ／ＧＢ、ＴＡ／ＴＢ、ＧＡＢ、ＴＡＢ）を、いかなる出力電気量（ＩＡ／ＩＢ、ＵＡ／ＵＢ、ＩＡＢ、ＵＡＢ）も発生させないように機能停止させるための機能停止手段（ＩＮＨ）をさらに備えている、請求項８に記載の存在検出装置（ＣＡＰＴ）。
【請求項１０】
前記測定手段は、前記検出部材（ＥＡ／ＥＢ）の各々に１つずつ組み合わされた電流発生器（ＧＡ／ＧＢ）を有しており、出力電気量は、発生器出力電流（ＩＡ／ＩＢ）である、請求項８または９に記載の存在検出装置（ＣＡＰＴ）。
【請求項１１】
前記測定手段は、前記検出部材（ＥＡ／ＥＢ）の全てに組み合わされた単一の電流発生器（ＧＡＢ）を有しており、出力電気量は、発生器出力電流（ＩＡＢ）である、請求項８〜１０のいずれか１つに記載の存在検出装置（ＣＡＰＴ）。
【請求項１２】
前記測定手段は、前記検出部材（ＥＡ／ＥＢ）の各々に１つずつ組み合わされた接地スイッチ（ＴＡ／ＴＢ）を有しており、出力電気量は、発生器出力電圧（ＵＡ／ＵＢ）である、請求項８〜１１いずれか１つに記載の存在検出装置（ＣＡＰＴ）。
【請求項１３】
前記測定手段は、前記検出部材（ＥＡ／ＥＢ）の全てに組み合わされた単一の接地スイッチ（ＴＡＢ）を有しており、出力電気量は、発生器出力電圧（ＵＡＢ）である、請求項８〜１２いずれか１つに記載の存在検出装置（ＣＡＰＴ）。
【請求項１４】
前記アンテナ（ＴＸ）による前記低周波信号（ＢＦ）の放射の開始を検出する低周波検出素子（ＣＭＰ）をさらに備えており、前記低周波検出素子（ＣＭＰ）は、前記存在検出装置（ＣＡＰＴ）への電力供給の中断を検出するためのコンパレータを有している、請求項１〜１３のいずれか１つに記載の存在検出装置（ＣＡＰＴ）。
【請求項１５】
入力電圧（Ｖｉｎ）から電力供給されるように構成されており、この入力電圧（Ｖｉｎ）からの電気エネルギーを蓄える入力キャパシタ（Ｃ２）をさらに備えており、前記コンパレータは、前記入力キャパシタ（Ｃ２）の端子間電圧（Ｖｃ２）と、前記入力電圧（Ｖｉｎ）とを比較することができる、請求項１４に記載の存在検出装置（ＣＡＰＴ）。
【請求項１６】
前記検出部材（ＥＡ／ＥＢ）が前記物体（Ｏ）の存在を検出したときに、出力電気量（ＩＡ／ＩＢ、ＵＡ／ＵＢ、ＩＡＢ、ＵＡＢ）を発生させるために、前記検出部材（ＥＡ／ＥＢ）に組み合わされた測定手段（ＧＡ／ＧＢ、ＴＡ／ＴＢ、ＧＡＢ、ＴＡＢ）をさらに備えており、かつ前記測定手段（ＧＡ／ＧＢ、ＴＡ／ＴＢ、ＧＡＢ、ＴＡＢ）を、いかなる出力電気量（ＩＡ／ＩＢ、ＵＡ／ＵＢ、ＩＡＢ、ＵＡＢ）も発生させないように機能停止させるための機能停止手段（ＩＮＨ）をさらに備えており、前記機能停止手段（ＩＮＨ）は、前記存在検出装置（ＣＡＰＴ）への電力供給の中断が検出されたときに、前記測定手段（ＧＡ／ＧＢ、ＴＡ／ＴＢ、ＧＡＢ、ＴＡＢ）を機能停止させることができる、請求項１４または１５に記載の存在検出装置（ＣＡＰＴ）。
【請求項１７】
入力電圧（Ｖｉｎ）から電力供給されるように構成されており、この入力電圧（Ｖｉｎ）からの電気エネルギーを蓄える入力キャパシタ（Ｃ２）をさらに備えており、前記機能停止手段（ＩＮＨ）は、前記入力電圧（Ｖｉｎ）の値が、前記入力キャパシタ（Ｃ２）の端子間電圧（Ｖｃ２）から、第１の電圧閾値（Ｖｓ１）を差し引いた値より小さいときに、前記測定手段（ＧＡ／ＧＢ、ＴＡ／ＴＢ、ＧＡＢ、ＴＡＢ）を機能停止させることができる、請求項１６に記載の存在検出装置（ＣＡＰＴ）。
【請求項１８】
入力電圧（Ｖｉｎ）から電力供給されるように構成されており、この入力電圧（Ｖｉｎ）からの電気エネルギーを蓄える入力キャパシタ（Ｃ２）をさらに備えており、前記保存装置（ＬＯＧＩＣ）は、前記入力電圧（Ｖｉｎ）の値が、前記入力キャパシタ（Ｃ２）の端子間電圧（Ｖｃ２）から、第２の電圧閾値（Ｖｓ２）を差し引いた値より大きくなるまで、前記アンテナ（ＴＸ）による前記低周波信号（ＢＦ）の放射の前に測定された前記基準レベル（ＲＥＦ）の値を保存している、請求項１４〜１７のいずれか１つに記載の存在検出装置（ＣＡＰＴ）。
【請求項１９】
−  前記電力供給の中断の経過時間（Ｔｃ）を観測し、該経過期間（Ｔｃ）が第１のあらかじめ定められた時間（Ｔｐ１）より長くなった場合のみ、前記アンテナ（ＴＸ）による前記低周波信号（ＢＦ）の放射の前に測定された前記基準レベル（ＲＥＦ）の値が保存されることを許可する第１の時間フィルタ（ＴＦ１）をさらに備えている、請求項１４〜１８のいずれか１つに記載の存在検出装置（ＣＡＰＴ）。
【請求項２０】
−  入力電圧（Ｖｉｎ）から電力供給されるように構成されており、この入力電圧（Ｖｉｎ）からの電気エネルギーを蓄える入力キャパシタ（Ｃ２）をさらに備えており、
−  第２のあらかじめ定められた時間（ＴＢＦ）より長い期間（Ｔｐ２）、前記入力電圧（Ｖｉｎ）が、前記入力キャパシタ（Ｃ２）の端子間電圧（Ｖｃ２）に等しいときに、前記アンテナ（ＴＸ）による前記低周波信号（ＢＦ）の放射の前に測定された基準レベル（ＲＥＦ）の値の保存動作を解除することを許可する第２の時間フィルタ（ＴＦ２）をさらに備えている、請求項１４〜１９のいずれか１つに記載の存在検出装置（ＣＡＰＴ）。
【請求項２１】
前記アンテナ（ＴＸ）による前記低周波信号（ＢＦ）の放射の開始を検出する低周波検出素子（ＣＭＰ）をさらに備えており、前記低周波検出素子（ＣＭＰ）は、前記アンテナ（ＴＸ）による前記低周波信号（ＢＦ）の放射を表わす共振信号（ＶｂＦ）を検出するためのコンパレータを有している、請求項１〜１３のいずれか１つに記載の存在検出装置（ＣＡＰＴ）。
【請求項２２】
前記低周波検出素子（ＣＭＰ）は、前記共振信号からピークレベルを検出するためのピークレベル検出器（Ｄ２Ｃ５）を有している、請求項２１に記載の存在検出装置（ＣＡＰＴ）。
【請求項２３】
前記コンパレータは、前記低周波信号（ＢＦ）を放射することができるアンテナ（ＴＸ）によって生成される共振信号（ＶｂＦ）と、基準電圧（Ｖｒｅｆ）とを比較することができる、請求項２１または２２に記載の存在検出装置（ＣＡＰＴ）。
【請求項２４】
前記共振信号は、前記低周波信号（ＢＦ）を放射することができるアンテナ（ＴＸ）を流れる共振電流（ＩｂＦ）のイメージ電圧である、請求項２１または２２に記載の存在検出装置（ＣＡＰＴ）。
【請求項２５】
前記検出部材（ＥＡ／ＥＢ）が前記物体（Ｏ）の存在を検出したときに、出力電気量（ＩＡ／ＩＢ、ＵＡ／ＵＢ、ＩＡＢ、ＵＡＢ）を発生させるために、前記検出部材（ＥＡ／ＥＢ）に組み合わされた測定手段（ＧＡ／ＧＢ、ＴＡ／ＴＢ、ＧＡＢ、ＴＡＢ）をさらに備えており、かつ前記測定手段（ＧＡ／ＧＢ、ＴＡ／ＴＢ、ＧＡＢ、ＴＡＢ）を、いかなる出力電気量（ＩＡ／ＩＢ、ＵＡ／ＵＢ、ＩＡＢ、ＵＡＢ）も発生させないように機能停止させるための機能停止手段（ＩＮＨ）をさらに備えており、前記機能停止手段（ＩＮＨ）は、前記アンテナ（ＴＸ）による前記低周波信号（ＢＦ）の放射が検出されたときに、前記測定手段（ＧＡ／ＧＢ、ＴＡ／ＴＢ、ＧＡＢ、ＴＡＢ）を機能停止させることができる、請求項２１〜２４のいずれか１つに記載の存在検出装置（ＣＡＰＴ）。
【請求項２６】
前記アンテナ（ＴＸ）による前記低周波信号（ＢＦ）の放射の開始を検出する低周波検出素子（ＣＭＰ）をさらに備えており、前記低周波検出素子（ＣＭＰ）は、前記アンテナ（ＴＸ）による前記低周波信号（ＢＦ）の放射を表わす、パルス信号化された入力信号（Ｖｉｎ）を検出するためのコンパレータを有している、請求項１〜１３のいずれか１つに記載の存在検出装置（ＣＡＰＴ）。
【請求項２７】
前記低周波検出素子（ＣＭＰ）は、前記パルス信号化された入力信号（Ｖｉｎ）からピークレベルを検出するためのピークレベル検出器（Ｄ２Ｃ５）を有している、請求項２６に記載の存在検出装置（ＣＡＰＴ）。
【請求項２８】
前記低周波検出素子（ＣＭＰ）は、さらなるキャパシタ（Ｃ６）を、さらに有している、請求項２６または２７に記載の存在検出装置（ＣＡＰＴ）。
【請求項２９】
前記低周波検出素子（ＣＭＰ）は、キャパシタ（Ｃ５）と組み合って、前記アンテナ（ＴＸ）による前記低周波信号（ＢＦ）の放射の終了後における検出の再開を可能にする、さらなる抵抗（Ｒ９）を、さらに有している、請求項２６〜２８のいずれか１つに記載の存在検出装置（ＣＡＰＴ）。
【請求項３０】
−  前記低周波検出素子（ＣＭＰ）は、前記パルス信号化された入力信号（Ｖｉｎ）からピークレベルを検出するためのピークレベル検出器（Ｄ２Ｃ５）を有しており、
前記ピークレベル検出器（Ｄ２Ｃ５）は、
−  前記キャパシタ（Ｃ５）の充電時間を制御することによって、前記アンテナ（ＴＸ）による低周波信号（ＢＦ）の放射を検出する時間を最小にするように定められた時定数（ＣＴ４５）を有する、請求項２９に記載の存在検出装置（ＣＡＰＴ）。
【請求項３１】
−  前記低周波検出素子（ＣＭＰ）は、前記パルス信号化された入力信号（Ｖｉｎ）からピークレベルを検出するためのピークレベル検出器（Ｄ２Ｃ５）を有しており、
前記ピークレベル検出器（Ｄ２Ｃ５）は、
−  前記キャパシタ（Ｃ５）が充電されるときに、前記パルス信号化された入力信号（Ｖｉｎ）に、スプリアスな過渡的妨害ピークが形成されないように定められた時定数（ＣＴ４５）を有する、請求項２９又は３０に記載の存在検出装置（ＣＡＰＴ）。
【請求項３２】
−  請求項１〜３１のいずれか１つに記載の存在検出装置（ＣＡＰＴ）と、
−  低周波信号（ＢＦ）を放射するためのアンテナ（ＴＸ）とを備えていることを特徴とする、物体（Ｏ）の存在を検出するためのユニット（ＰＳＵ）。
【請求項３３】
検出部材（ＥＡ／ＥＢ）により検出可能な物理量（ＣＥ）であって、この検出部材（ＥＡ／ＥＢ）が位置している周囲環境に応じて変化する物理量（ＣＥ）に基づいて、物体（Ｏ）の存在を検出する存在検出方法であって、前記物理量（ＣＥ）から、前記物体（Ｏ）の存在していない状態に対応する可変の基準レベル（ＲＥＦ）を導出するステップを含む存在検出方法において、
−  前記検出部材（ＥＡ／ＥＢ）により検出可能な物理量（ＣＥ）を測定するステップと、
−  前記物体（Ｏ）の検出前、又は前記アンテナ（ＴＸ）による前記低周波信号（ＢＦ）の放射前において、予め定めた時間周期（ｔｓ）で前記基準レベル（ＲＥＦ）を測定し、変化した基準レベル（ＲＥＦ）の値を一時保存することによって、前記時間周期（ｔｓ）で前記基準レベル（ＲＥＦ）を更新する操作を繰り返すステップと、
−  前記物理量（ＣＥ）と、前記基準レベル（ＲＥＦ）の保存されている値とを比較するステップと、
−  前記物体（Ｏ）の存在が検出されるとすぐに、又は前記アンテナ（ＴＸ）から前記低周波信号（ＢＦ）が放射されるとすぐに、前記基準レベル（ＲＥＦ）の更新を一時停止させて、この一時停止直前に更新された前記基準レベル（ＲＥＦ）を保存するステップと、
−  前記アンテナ（ＴＸ）による前記低周波信号（ＢＦ）の放射中、前記一時停止直前に更新された前記基準レベル（ＲＥＦ）の値を保存しておくステップと、
−  前記アンテナ（ＴＸ）による前記低周波信号（ＢＦ）の放射の終了後に、前記放射中における前記基準レベル（ＲＥＦ）の保存動作を解除するステップを、さらに含む
ことを特徴とする存在検出方法。
【請求項３４】
情報処理ユニットによって実行可能な１つ以上の命令列を有するコンピュータプログラム製品（ＰＧ）であって、該命令列を実行することによって、請求項３３に記載の存在検出方法を遂行することができるコンピュータプログラム製品（ＰＧ）。
【発明の詳細な説明】
【技術分野】
【０００１】
本発明は、少なくとも１つの検出部材を備えている、物体の存在を検出するための存在検出装置および存在検出方法に関する。各検出部材は、検出部材が位置している周囲環境に応じて変化する物理量を伴っている。
【０００２】
本発明は、自動車の分野に適用可能である。
【背景技術】
【０００３】
自動車用の上記のような存在検出装置は、自動車の開口部のノブに差し入れられている、自動車のユーザの手などの物体の存在を検出することができる。したがって、このような存在検出装置によって、自動車を自動的に解錠する（例えば手がノブの内側に挿入されたときに）ことができ、また、自動車を自動的に施錠する（例えば手がノブの上に触れたときに）ことができる。
これを行うために、存在検出装置には、例えば電極セットなどの検出部材が設けられ、検出部材に伴う物理量（例えば容量）が利用される。この場合、電極間の容量が変化したときに、手などの物体を、この電極セットによって検出することができる。
このような存在検出装置は、物体の存在の検出に続いて、ユーザによって保持されている識別目標に向かって、その識別目標の同一性をチェックするために、低周波信号を送るアンテナを励振することができる。これにより、識別オブジェクトは、自身の認証のために、アンテナに無線周波数信号を送る。
このような存在検出装置に関する１つの問題は、アンテナによって低周波信号が放射されているときに、物理量が、低周波信号によって乱されるということである。したがって、存在検出装置は妨害され、そのために、手などの物体のいかなる存在の検出もできなくなる。その結果、低周波信号の放射中に、ユーザが自分の手をノブの内側に置き、その後手を引っ込めないでいても、低周波信号の放射の終了後に、この手の存在は検出されない。
【発明の概要】
【発明が解決しようとする課題】
【０００４】
本発明は、低周波信号の放射の終了後においても、自動車のノブに差し伸べられているユーザの手などの物体が存在するときに、このような物体の存在を検出することができるようにすることを目的とするものである。
【課題を解決するための手段】
【０００５】
この目的を達成するために、本発明は、低周波信号（ＢＦ）を放射するアンテナ（ＴＸ）とともに、物体（Ｏ）の存在を検出するためのユニット（ＰＳＵ）を構成しており、少なくとも１つの検出部材（ＥＡ／ＥＢ）を備えている存在検出装置を提供するものである。各検出部材（ＥＡ／ＥＢ）は、これらが位置している周囲環境に応じて変化する物理量（ＣＥ）であって、物体（Ｏ）の存在していない状態に対応する可変の基準レベル（ＲＥＦ）が導出される物理量（ＣＥ）を検出可能である。この存在検出装置（ＣＡＰＴ）は、以下の特徴を有する保存装置（ＬＯＧＩＣ）をさらに備えている。
−  上記検出部材（ＥＡ／ＥＢ）により検出可能な物理量（ＣＥ）を測定することができる。
−  上記物体（Ｏ）の検出前、又は上記アンテナ（ＴＸ）による上記低周波信号（ＢＦ）の放射前において、上記基準レベル（ＲＥＦ）の値を保存することができる。
−  上記物理量（ＣＥ）と、上記基準レベル（ＲＥＦ）の保存されている値とを比較することができる。
−  上記低周波信号（ＢＦ）の放射中、この低周波信号（ＢＦ）の放射の前に測定された基準レベル（ＲＥＦ）の値を保存しておくことができる。
−  上記物体（Ｏ）の検出前、又は上記アンテナ（ＴＸ）による上記低周波信号（ＢＦ）の放射前において、予め定めた時間周期（ｔｓ）で上記基準レベル（ＲＥＦ）を測定し、変化した基準レベル（ＲＥＦ）の値を一時保存することにより、上記時間周期（ｔｓ）で上記基準レベル（ＲＥＦ）を更新する操作を繰り返すようになっている。
−  上記物体（Ｏ）の存在が検出されるとすぐに、又は上記アンテナ（ＴＸ）から上記低周波信号（ＢＦ）が放射されるとすぐに、上記基準レベル（ＲＥＦ）の更新を一時停止させて、この一時停止直前に更新された上記基準レベル（ＲＥＦ）を、上記低周波信号（ＢＦ）の放射中に保存しておくことができるようになっている。
−  上記アンテナ（ＴＸ）による上記低周波信号（ＢＦ）の放射の終了後に、上記放射中における上記基準レベル（ＲＥＦ）の保存動作を解除することができるようになっている。
【０００６】
保存装置は、基準レベルの変更を一時停止させることができるので、周囲環境だけによるものではない物理量の測定値によって変更されることなく、基準レベルの値を固定することができる。基準レベルの変更の一時停止は、物体の存在が検出されるとすぐに、または低周波信号が放射されるとすぐに行われるので、物体の検出の前に、または低周波信号の放射の前に、基準レベルの値を保存することができる。保存装置は、低周波信号の放射の終了後に、保存動作を解除することができるので、物体が存在しなくなったときに、再び、物理量から、可変な基準レベルを導出することができるようになる。
以下に詳細に示すように、保存された基準レベルの値は、低周波信号の放射の終了後において、物体を検出するための基準として働く。したがって、手などの物体が、低周波信号の放射の終了後に存在している場合には、この基準レベルの値に対する物理量の偏差が、明らかに認識される。したがって、低周波信号の放射の終了後においても、物体の存在は、常に検出される。
【０００７】
非限定的な実施例においては、この存在検出装置は、さらに次の特性を有する。
【００１２】
−  物理量は容量である。これによって、物体検出のためのエリアを、例えば自動車のノブの全長にわたるように広げることができる。
【００１３】
−  物理量は光束である。光束を用いることによって、検出システムを、より簡単に構築することができる。
【００１４】
−  存在検出装置は、低周波信号の放射の開始を検出する低周波検出素子を、さらに備えている。これによって、低周波信号の放射期間を通じて、基準レベルの値を保存していることができる。
【００１５】
−  存在検出装置は、低周波信号を放射するためのアンテナと共通の電源によって電力供給される。これによって、例えば自動車の配線の数を減らすことができる。
【００１６】
−  存在検出装置は、低周波信号の放射中、低周波信号を放射することができるアンテナの励振電圧によって電力供給される。これによって、低周波信号の放射のために、存在検出装置への連続電力供給が断たれたときに、存在検出装置に電力を供給することができる。
【００１７】
−  存在検出装置は、入力電圧から電力供給されるように構成されており、この入力電圧からの電気エネルギーを蓄える入力キャパシタをさらに備えている。これによって、検出部材を働かせることができる。
【００１８】
−  存在検出装置は、検出部材が物体の存在を検出したときに、出力電気量を発生させるために、検出部材に組み合わされた測定手段をさらに備えている。
【００１９】
−  存在検出装置は、測定手段を、いかなる出力電気量も発生させないように機能停止させるための機能停止手段をさらに備えている。
【００２０】
−  測定手段の第１の実施形態において、測定手段は、検出部材の各々に１つずつ組み合わされた電流発生器を有し、出力電気量は発生器出力電流である。
【００２１】
−  測定手段の第２の実施形態において、測定手段は、検出部材の全てに組み合わされた単一の電流発生器を有し、出力電気量は、発生器出力電流である。
【００２２】
−  測定手段の第３の実施形態において、測定手段は、検出部材の各々に１つずつ組み合わされた接地スイッチを有し、出力電気量は、発生器出力電圧である。
【００２３】
−  測定手段の第４の実施形態において、測定手段は、検出部材の全てに組み合わされた単一の接地スイッチを有し、出力電気量は、発生器出力電圧である。
【００２４】
−  非限定的な第１の実施形態によれば、低周波検出素子は、存在検出装置への連続電力供給の中断を検出するためのコンパレータを有している。このように連続電力供給の中断を検出することによって、その後に低周波信号が送られることが認識される。
【００２５】
−  コンパレータは、入力キャパシタの端子間電圧と、入力電圧とを比較することができる。これは、存在検出装置への連続電力供給の中断を検出するための簡単な手段である。そのような中断は、それに続く低周波信号の放射の開始を予告する。
【００２６】
−  機能停止手段は、存在検出装置への連続電力供給の中断が検出されたときに、測定手段を機能停止させることができる。したがって、機能停止は、低周波信号の放射の開始前になされる。したがって、低周波信号の放射の始めから終わりまで、確実に、測定手段を機能停止させることができる。
【００２７】
−  機能停止手段は、入力電圧の値が、入力キャパシタの端子間電圧から、第１の電圧閾値を差し引いた値より小さいときに、測定手段を機能停止させることができる。したがって、測定手段は、もはや出力電気量を発生させず、それによって、低周波信号の放射による、容量性の存在検出装置への妨害が防止される。さらに、第１の電圧閾値を用いているために、これによって、入力電圧上のスプリアス信号の影響を取り除くことができる。
【００２８】
−  保存装置は、入力電圧の値が、入力キャパシタの端子間電圧から、第２の電圧閾値を差し引いた値より大きくなるまで、低周波信号の放射の前に測定された基準レベルの値を保存している。保存動作が解除されると、自動車のコントローラは、存在検出装置によって消費される電流によって、再び、存在検出装置の状態、したがって物体の存在を認識することができる。
【００２９】
−  存在検出装置は、連続電力供給の中断の経過時間を観測し、経過期間が第１のあらかじめ定められた時間より長くなった場合にのみ、低周波信号の放射の前に測定された基準レベルの値が保存されることを許可する第１の時間フィルタをさらに備えている。これによって、供給電圧の電圧降下の際に、いかなる不必要な保存も避けられる。
【００３０】
−  存在検出装置は、第２のあらかじめ定められた時間より長い期間、入力電圧が、入力キャパシタの端子間電圧に等しいときに、低周波信号の放射の前に測定された基準レベルの値の保存動作を解除させるための第２の時間フィルタをさらに備えている。これによって、アンテナによる低周波信号の放射と、存在検出装置への入力電圧による電力の再供給との混同が防止される。したがって、測定手段は、低周波信号の放射中、再作動することはない。
【００３１】
−  非限定的な第２の実施形態によれば、低周波検出素子は、低周波信号の放射を表わす共振信号を検出するためのコンパレータを有している。これによって、共振回路であるアンテナによる、そのような低周波信号の放射を検出することができる。このような共振信号は、アンテナへの供給電圧より相当に高い。
【００３２】
−  低周波検出素子は、共振信号からピークレベルを検出するためのピークレベル検出器を有している。ピークレベル検出を実行することは容易であり、また、それによって、低周波信号の放射を検出することができる。
【００３３】
−  コンパレータは、低周波信号を放射することができるアンテナによって生成される共振電圧と、基準電圧とを比較することができる。これは、共振信号を検出する簡単な手段である。
【００３４】
−  共振信号は、低周波信号を放射することができるアンテナを流れる共振電流のイメージ電圧である。これは、共振信号を検出する簡単な手段である。
【００３５】
−  機能停止手段は、低周波信号の放射が検出されたときに、測定手段を機能停止させることができる。これによって、存在検出装置による低周波信号の放射への妨害が防止される。
【００３６】
−  非限定的な第３の実施形態によれば、低周波検出素子は、低周波信号の放射を表わす、パルス信号化された入力信号を検出するためのコンパレータを有している。このパルス信号化された入力信号を観察することは容易である。
【００３７】
−  低周波検出素子は、パルス信号化された入力信号からピークレベルを検出するためのピークレベル検出器を有している。ピークレベル検出を実行することは容易であり、また、それによって、低周波信号の放射を検出することができる。
【００３８】
−  低周波検出素子は、さらなるキャパシタをさらに有している。これによって、入力信号が再び連続的になったときに、測定手段の不時の機能再停止の発生が防止される。さらに、これによって低周波信号の放射を、より迅速に検出することができる。
【００３９】
−  低周波検出素子は、１つのキャパシタと組み合って、低周波信号の放射の終了後における検出の再開を可能にするさらなる抵抗を有している。これによって、ピークレベル検出器のキャパシタを放電させることができ、したがって、存在検出装置の測定手段の機能停止を作動させないようにすることができる。
【００４０】
−  低周波検出素子は、このフィルタの充電時間を制御することによって、低周波信号の放射を検出するまでの遅れ時間を最小にするように定められた時定数を有する。したがって、低周波信号の放射が、より迅速に検出される。それによって、基準レベルの値を、より迅速に保存することができる。また、存在検出装置のいかなる不時の再初期化も避けるために、存在検出装置の測定手段を、より迅速に機能停止させることができる。したがって、保存された基準レベルの損失が避けられる。
【００４１】
−  低周波検出素子は、充電されるときに、パルス信号化された入力信号に、スプリアスな過渡的妨害ピークが形成されないように定められた時定数を有する。これによって、存在検出装置の測定手段の好ましくない機能停止が防止される。
【００４２】
本発明は、次のものを備えていることを特徴とする、物体の存在を検出するためのユニットを提供するものである。
−  上述の特性のいずれか１つを有する存在検出装置と、
−  低周波信号を放射するためのアンテナ。
【００４３】
さらに、本発明は、検出部材（ＥＡ／ＥＢ）により検出可能な物理量（ＣＥ）であって、この検出部材（ＥＡ／ＥＢ）が位置している周囲環境に応じて変化する物理量（ＣＥ）に基づいて、物体（Ｏ）の存在を検出する存在検出方法であって、上記物理量（ＣＥ）から、上記物体（Ｏ）の存在していない状態に対応する可変の基準レベル（ＲＥＦ）を導出するステップを含む存在検出方法を提供するものである。この存在検出方法は、次のステップを含むことを特徴としている。
−  上記検出部材（ＥＡ／ＥＢ）により検出可能な物理量（ＣＥ）を測定するステップ。
−  上記物体（Ｏ）の検出前、又は上記アンテナ（ＴＸ）による上記低周波信号（ＢＦ）の放射前において、予め定めた時間周期（ｔｓ）で上記基準レベル（ＲＥＦ）を測定し、変化した基準レベル（ＲＥＦ）の値を一時保存することによって、上記時間周期（ｔｓ）で上記基準レベル（ＲＥＦ）を更新する操作を繰り返すステップ。
−  上記物理量（ＣＥ）と、上記基準レベル（ＲＥＦ）の保存されている値とを比較するステップ。
−  上記物体（Ｏ）の存在が検出されるとすぐに、又は上記アンテナ（ＴＸ）から上記低周波信号（ＢＦ）が放射されるとすぐに、上記基準レベル（ＲＥＦ）の更新を一時停止させて、この一時停止直前に更新された上記基準レベル（ＲＥＦ）を保存するステップ。
−  上記アンテナ（ＴＸ）による上記低周波信号（ＢＦ）の放射中、上記一時停止直前に更新された上記基準レベルの値を保存しておくステップ。
−  上記アンテナ（ＴＸ）による上記低周波信号（ＢＦ）の放射の終了後に、上記放射中における上記基準レベル（ＲＥＦ）の保存動作を解除するステップ。
【００４９】
さらに本発明は、情報処理ユニットによって実行可能な１つ以上の命令列を有するコンピュータプログラム製品であって、これらの命令列を実行することによって、上述の特性のいずれか１つを有する存在検出方法を遂行することができるコンピュータプログラム製品を提供するものである。
【図面の簡単な説明】
【００５０】
【図１】本発明による存在検出装置、およびそれに組み合わされたアンテナを有する存在検出ユニットの非限定的な一実施形態のブロック図である。
【図２】図１の存在検出装置の動作を説明するための２つのグラフである。
【図３】測定手段の非限定的な第１の実施形態を有する、図１の存在検出装置の詳細なブロック図である。
【図４】図１の存在検出装置の非限定的な第１の実施形態の詳細なブロック図である。
【図５】次の各項を示すグラフである。  −  図４の存在検出装置への入力電圧、および存在検出装置に組み合わされたアンテナによる低周波信号の放射中の、存在検出装置の入力キャパシタの端子間電圧、  −  図４の存在検出装置の低周波検出素子の出力、  −  図４の存在検出装置の基準レベルの固定状態、  −  図４の存在検出装置の電流発生器の機能停止状態  −  図４の存在検出装置の第２のキャパシタの充電状態、  −  自動車のノブの内側における、ユーザの手の存在の、図４の存在検出装置による検出、  −  図４の存在検出装置を備える、図１の存在検出ユニットによって消費される電流との時間経過。
【図６】次の各項を示すグラフである。  −  従来の存在検出装置の入力電圧、  −  自動車のノブに差し伸べられたユーザの手の存在の、従来の存在検出装置による検出、  −  従来の存在検出装置の入力キャパシタの端子間電圧、  −  従来の存在検出装置の第２のキャパシタの充電状態、  −  従来の存在検出装置を備える存在検出ユニットによって消費される電流との時間経過。
【図７】図１の存在検出装置の非限定的な第２の実施形態の第１の変形実施例の詳細なブロック図である。
【図８】図１の存在検出装置の非限定的な第２の実施形態の第２の変形実施例の詳細なブロック図である。
【図９】図１の存在検出装置の非限定的な第３の実施形態の詳細なブロック図である。
【図１０】図９の低周波検出素子の詳細な回路図である。
【図１１】図１０の低周波検出素子内の２つの出力信号の概略図である。
【図１２】次の各項に関するグラフである。  −  図９の存在検出装置への入力電圧、および存在検出装置に組み合わされたアンテナによる低周波信号の放射中の、存在検出装置の入力キャパシタの端子間電圧、  −  図９の存在検出装置の低周波検出素子の出力、  −  図９の存在検出装置の基準レベルの固定状態、  −  図９の存在検出装置の電流発生器の機能停止状態、  −  図９の存在検出装置の第２のキャパシタの充電状態、  −  自動車のノブの内側におけるユーザの手の存在の、図９の存在検出装置による検出、  −  図９の存在検出装置を備えた、図１の存在検出ユニットによって消費される電流との時間経過。
【図１３】測定手段の非限定的な第２の実施形態を有する、図１の存在検出装置のブロック図である。
【図１４】測定手段の非限定的な第３の実施形態を有する、図１の存在検出装置のブロック図である。
【図１５】測定手段の非限定的な第４の実施形態を有する、図１の存在検出装置のブロック図である。
【発明を実施するための形態】
【００５１】
添付図面を参照して、非限定的な以下の説明を読むことによって、本発明の他の特徴および利点を、よりよく理解しうると思う。
【００５２】
本発明による存在検出装置ＣＡＰＴを有する、物体Ｏの存在を検出するための存在検出ユニットＰＳＵを、図１の非限定的な実施形態をもって説明する。
【００５３】
この存在検出ユニットＰＳＵを、非限定的に、自動車に応用するものとして説明する。したがって、自動車のユーザの手などの物体Ｏを、一例としてあげる。
【００５４】
存在検出ユニットＰＳＵは、次のものを備えている。
−  自動車の開口部のノブＰに差し伸べられている（触れていようといまいと）、自動車のユーザの手の存在を検出するための、自動車Ｖ用の少なくとも１つの存在検出装置ＣＡＰＴ。存在検出装置ＣＡＰＴは、入力電圧Ｖｉｎによって駆動される。非限定的な一例において、自動車Ｖは、対応するノブＰを有する３〜５個の開口部（ドア、トランク）を備えている。少なくとも１つの存在検出装置ＣＡＰＴが、各ノブＰに組み合わされている。非限定的な一例において、各ノブＰは、２つの存在検出装置ＣＡＰＴを有している。
−  自動車のユーザによって保持されている識別オブジェクトＩＤに向けて、その識別オブジェクトＩＤが、実際に、その自動車Ｖに専用のものであるか否かをチェックするために、低周波信号ＢＦを放射するアンテナＴＸ。低周波信号ＢＦの放射は、定期的になされる（ポーリング方式）か、または、ノブＰに差し伸べられている手の存在することが、存在検出装置ＣＡＰＴによって検出されたときになされる。アンテナＴＸは、非限定的な一例において、ノブＰ内に配置されている。非限定的な一例において、アンテナＴＸは、インダクタＬ（フェライト磁心による）およびキャパシタＣを有している。このようなアンテナは、当業者には公知であるから、本明細書においては、これ以上詳細に説明しない。
【００５５】
存在検出装置ＣＡＰＴとアンテナＴＸとは、互いに近接して配置されていること（接続線が長くなりすぎないようにするために）、およびそれらを、同一の電子モジュールに搭載してもよいし、異なる電子モジュールに搭載してもよいことは理解しうると思う。
【００５６】
存在検出ユニットＰＳＵは、コントローラＥＣＵ（この例においては、自動車Ｖの客室コントローラ）に接続されている。これによって、以下に詳細に述べるように、存在検出ユニットＰＳＵによって消費された共通電流ＩPSUを測定することにより、存在検出装置ＣＡＰＴの状態を検出することができる。
【００５７】
この存在検出ユニットＰＳＵは、また、自動車Ｖへのキーレスアクセスを可能にするハンズフリーシステムＳＹＳの一部分を形成している。このハンズフリーシステムＳＹＳは、存在検出ユニットＰＳＵに入力電圧Ｖｉｎを供給することができる電源を備えている。
非限定的な一例においては、この入力電圧Ｖｉｎは、自動車のバッテリから供給されるバッテリ電圧Ｖｂａｔ（例えば１２ボルトの）である。当然ながら、他の値の電圧を供給することもできる。
【００５８】
非限定的な一実施形態において、アンテナＴＸと存在検出装置ＣＡＰＴとは、図１に示すように、並列に（２本の同じ線で）接続されている。これによって、存在検出装置ＣＡＰＴに、アンテナＴＸと共通の電源から電力を供給することができる。アンテナＴＸと存在検出装置ＣＡＰＴに対し、同一の電源設備が用いられる（したがって、入力電圧Ｖｉｎは共通電圧である）。これによって、別々の電源を用いる場合に比して、電力供給に必要な線数を減らすことができる。したがって、自動車Ｖに搭載される線数が減少する。
【００５９】
非限定的な一実施形態においては、存在検出装置ＣＡＰＴは、低周波信号ＢＦの放射（ＢＦ放射とも呼ばれる）中、アンテナＴＸによって発生した共振電圧によって電力を供給される。これによって、低周波信号の放射のために、存在検出装置ＣＡＰＴへの連続電力供給が断たれたときに、特に共通電源の場合に、存在検出装置ＣＡＰＴに電圧を供給することができる。
【００６０】
自動車への応用の場合には、存在検出装置ＣＡＰＴは、自動車に何らかの作用を及ぼそうとしているユーザの意図を検出することができる。特に、存在検出装置ＣＡＰＴは、ユーザの手を、自動車の開口部のノブＰ上に置く（したがって、ノブに触れて）ことによって／自動車の開口部のノブＰの内側に置く（ノブに触れていようと、いまいと）ことによって、それぞれ、自動車の施錠／解錠を行おうとするユーザの意図を検出することができる。したがって、存在検出装置ＣＡＰＴは、より具体的には以下に詳細に示すように、自動車の開口部のノブに差し伸べられている手を検出することができる。
【００６１】
存在検出装置ＣＡＰＴは、特に、次のものを備えている。
−  ノブＰに差し伸べられている手の存在を検出するための、保存装置ＬＯＧＩＣに接続された、少なくとも１つの検出部材ＥＡ／ＥＢ。非限定的な一例において、存在検出装置ＣＡＰＴは、図１に示すように、２つの検出部材ＥＡ／ＥＢを備えている。各検出部材ＥＡ／ＥＢに、１つの物理量ＣＥが伴っている。
−  低周波信号ＢＦの放射中、この低周波信号ＢＦの放射の前に測定された物理量ＣＥの基準レベルＲＥＦの値を保存するための保存装置ＬＯＧＩＣ。
【００６２】
非限定的な一例においては、保存装置ＬＯＧＩＣは、制御集積回路である。
【００６３】
さらに、保存装置ＬＯＧＩＣは、次のことを行うことができる。
−  各検出部材ＥＡ／ＥＢに伴う物理量の測定、
−  それらの物理量から導出される基準レベルの変化の取り込み、および、
−  物理量ＣＥの値と、保存されている基準レベルＲＥＦの値との比較。
【００６４】
非限定的な第１の例において、存在検出装置ＣＡＰＴは容量性である。各検出部材ＥＡ／ＥＢは、キャパシタを形成する一組の電極から成る電極セットである。各電極セットに伴う物理量は、容量である。そのため、自動車への応用の場合には、ノブＰ全体をカバーする、かなり大きな検出エリアを有することができる。
【００６５】
非限定的な第２の例においては、存在検出装置ＣＡＰＴは光学的である。各検出部材ＥＡ／ＥＢに伴う物理量は、光束である。
【００６６】
各検出部材ＥＡ／ＥＢに伴う物理量ＣＥの値は、次のものによって変化する。
−  ａ）検出部材が位置している周囲環境、および、
−  ｂ）検出部材の近傍における物体Ｏの存在。
【００６７】
ａ）の場合には、ユーザの手などの物体Ｏの存在と結びついていない、例えば湿気の多い空気や外部電波などの妨害要素によって、検出部材ＥＡ／ＥＢの周囲環境が、完全には安定していないために、検出部材ＥＡ／ＥＢに伴う物理量ＣＥは、この周囲環境によって発生する微小な変化を示す。これらの微小な変化は、時間的にゆっくりした変化でもある。すなわち、これらの微小な変化は、検出部材ＥＡ／ＥＢの周囲環境の性質を表わす。したがって、この場合には、各検出部材ＥＡ／ＥＢに伴う物理量ＣＥは、可変で、かつ物体Ｏが存在していない状態に対応する基準レベルＲＥＦを与える。このように、基準レベルＲＥＦには、これらの微小変化が考慮に入れられる。したがって、基準レベルＲＥＦは、この微小変化に対して自己適合する。
各検出部材ＥＡ／ＥＢが電極セットである例においては、物理量ＣＥは、このような周囲環境中に位置する電極セットの電極間の容量である。
【００６８】
ｂ）の場合には、物体Ｏが、物理量ＣＥを乱すほどに検出部材ＥＡ／ＥＢに接近すると、その物理量は、可変な基準レベルＲＥＦに比して、著しい変化を示す。それらの著しい変化は、時間的に非常に急激である。物体Ｏが存在している場合の物理量の値と、基準レベルＲＥＦの値とを比較することによって、存在検出装置ＣＡＰＴは、この物体Ｏの存在を推定することができる。
【００６９】
物理量ＣＥの２つの例示的な変化が、図２に、次のように示されている。
−  図２の１番目のグラフは、低周波信号ＢＦの放射の前に物体Ｏが存在しており、その後も継続して存在している場合を示している。
−  図２の２番目のグラフは、低周波信号ＢＦの放射中に物体Ｏが出現し、その後も継続して存在している場合を示している。
【００７０】
次に、これらの２つの状態における存在検出装置ＣＡＰＴの動作を、説明する。
【００７１】
図２の１番目のグラフに関しては、次のとおりである。
−  時刻ｔ０〜ｔ１の範囲において、何らの物体Ｏも存在していない場合には、物理量ＣＥから、対応する検出部材ＥＡ／ＥＢの周囲環境に応じて可変である基準レベルＲＥＦが導出される。この基準レベルＲＥＦの値Ｖが、あらかじめ定められた時間周期ｔｓ（非限定的な一例において、数ミリ秒の程度の）で測定されて、保存される。この例においては、３つの値Ｖ１〜Ｖ３が連続的に保存され、最後の値Ｖ３が、最新の値である。この最後の値Ｖ３が、メモリに保存されている、その前の値Ｖ２に換えて保存される。
−  時刻ｔ２において、物体Ｏが、検出部材ＥＡ／ＥＢの周囲環境を乱すほどに、検出部材ＥＡ／ＥＢに接近すると、例えばユーザの手が、検出部材ＥＡ／ＥＢを有している開口部のノブＰに差し伸べられると、その検出部材ＥＡ／ＥＢに伴う物理量ＣＥも変化する。この変化は、前述の微小変化より大きい。
存在検出装置ＣＡＰＴは、物体Ｏが存在しているときの物理量ＣＥの測定値（図に示されている測定値ＶＯ）と、物体Ｏの存在が検出される前に最後に測定されて、保存された基準レベルＲＥＦの値（この場合には値Ｖ３）とを比較することによって、これらの変化を検出する。この比較によって、物体Ｏの存在が示される。このとき、物理量ＣＥからの基準レベルＲＥＦの自己適応は一時停止させられる。その結果、基準レベルＲＥＦは固定され、したがって、周囲環境のみに由来するものではない、物理量ＣＥの測定値によって変更されることはない。したがって、基準レベルＲＥＦの他の値Ｖがメモリに保存されることはない。
−  時刻ｔ３において、低周波信号ＢＦが放射される。基準レベルＲＥＦの値Ｖ３は、依然として、メモリに保存されている最後の値である。
−  時刻ｔ４においては、低周波信号ＢＦは、もはや放射されない。
この場合には、低周波信号ＢＦの放射の終了後に、低周波信号ＢＦの放射前に測定されて、保存されていた基準レベルＲＥＦの値が開放される。したがって、自己適応が再び可能になる。基準レベルＲＥＦの自己適応はもはや一時停止させられず、基準レベルＲＥＦはもはや固定されない。
しかしながら、物体Ｏは、依然として存在しているから、基準レベルＲＥＦの新しい値が保存されることはない。
基準レベルＲＥＦの値Ｖ３は、依然として、物体Ｏが存在していない状態で、かつ低周波信号ＢＦの放射前に測定された値であり、また、低周波信号ＢＦの放射の終了後に、時刻ｔ４における物理量ＣＥの測定値ＶＯ、すなわち物体Ｏが存在している状態での物理量ＣＥの測定値ＶＯと、値Ｖ３との間の比較がなされるから、存在検出装置ＣＡＰＴは、低周波信号ＢＦの放射の終了後に、物体Ｏの存在を検出する。
−  時刻ｔ５においては、物体Ｏは、もはや検出部材ＥＡ／ＥＢの存在する領域内になく、基準レベルＲＥＦの新しい値、すなわち値Ｖ４が保存される。したがって、低周波信号ＢＦの放射前、かつこの場合には、物体Ｏの存在の検出前に測定された基準レベルＲＥＦの値は、新しい値Ｖ４によって置き換えられる。
【００７２】
図２の２番目のグラフに関しては、次のとおりである。
−  時刻ｔ０〜ｔ２の範囲において、何らの物体Ｏも存在していない場合には、物理量ＣＥから、対応する検出部材ＥＡ／ＥＢの周囲環境に応じて可変である基準レベルＲＥＦが導出される。この基準レベルＲＥＦの値Ｖが、あらかじめ定められた時間周期ｔｓで測定されて、保存される。この例においては、４つの値Ｖ１〜Ｖ４が連続的に保存され、最後の値Ｖ４が、最新の値である。
−  時刻ｔ２において、低周波信号ＢＦが放射される。このとき、基準レベルＲＥＦの自己適応は一時停止させられる。したがって、基準レベルＲＥＦは固定される。したがって、メモリに保存されている、基準レベルの最後の値は、最新の値Ｖ４である。
−  時刻ｔ３において、物体Ｏが、検出部材ＥＡ／ＥＢの周囲環境を乱すほどに、検出部材ＥＡ／ＥＢに接近すると、例えばユーザの手が、検出部材ＥＡ／ＥＢを有している開口部のノブＰに差し伸べられると、その検出部材ＥＡ／ＥＢに伴う物理量ＣＥも変化する。この変化は、前述の微小変化よりも大きい。
【００７３】
このとき、存在検出装置ＣＡＰＴは、次の２つの場合において、これらの変化を検出することができないことは理解しうると思う。
すなわち、存在検出装置ＣＡＰＴが容量性装置である（したがって、検出部材ＥＡ／ＥＢとして、少なくとも１つの電極セットを有している）場合には、低周波信号ＢＦは、容量結合および／または誘導結合によって存在検出装置ＣＡＰＴを妨害し、存在検出装置ＣＡＰＴが、物体Ｏの存在の信頼性の高い検出を行うことを妨げる。
存在検出装置ＣＡＰＴ（容量性であろうとなかろうと）が、その電源を、アンテナＴＸと共通にしている場合には、アンテナＴＸによる低周波信号ＢＦの放射中、アンテナＴＸへの電力供給を可能にするために、存在検出装置ＣＡＰＴへの連続電力供給は断たれる。それによって、後に詳細に示されるように、物体Ｏの存在の検出が妨げられる（アンテナＴＸによって発生させられる共振電圧ＶｂＦによって電力を供給されない限り）。
【００７４】
−  時刻ｔ４において、低周波信号ＢＦは、もはや放射されない。存在検出装置ＣＡＰＴは、もはや妨害されず、存在検出装置ＣＡＰＴへの連続電力供給は、もはや断たれない。したがって、存在検出装置ＣＡＰＴは、再び作動することができる。
この場合には、低周波信号ＢＦの放射の終了後に、低周波信号ＢＦの放射前に測定されて、保存されていた基準レベルＲＥＦの値が開放される。したがって、自己適応が再び可能になる。基準レベルＲＥＦの自己適応はもはや一時停止させられず、基準レベルＲＥＦはもはや固定されない。
しかしながら、物体Ｏは、依然として、物理量ＣＥを乱すほど、対応する検出部材ＥＡ／ＥＢの近傍に存在する。したがって、基準レベルＲＥＦの値が新規に保存されることはない。
基準レベルＲＥＦの値Ｖ４は、依然として、低周波信号ＢＦの放射前に、物体Ｏが存在していない状態で測定された値であるから、存在検出装置ＣＡＰＴは、物体Ｏが存在している状態での物理量ＣＥの測定値（図示されている測定値ＶＯ）と、この値Ｖ４とを比較することによって、物理量の変化を検出する。したがって、物体Ｏの存在は、低周波信号ＢＦの放射の終了後においても検出される。
−  時刻ｔ５において、物体Ｏは、もはや検出部材ＥＡ／ＥＢの存在する領域内にない。基準レベルＲＥＦの新しい値、すなわち値Ｖ５が保存される。
【００７５】
したがって、物体の存在が検出される（物理量ＣＥの大きな変化が測定されることによって）か、または低周波信号ＢＦの放射が検出されるとすぐに、物理量ＣＥからの基準レベルＲＥＦの自己適応が一時停止させられる（基準レベルＲＥＦの値が固定される）。したがって、保存されている基準レベルＲＥＦの値は、物体Ｏの検出の前、または低周波信号ＢＦの放射の前に測定された値であり、次のようになるまで、少なくとも低周波信号ＢＦの放射中、そのまま維持される。
−  もはや、いかなる低周波信号ＢＦの放射も存在しなくなり、かつ
−  検出部材ＥＡ／ＥＢの近傍に、対応する物理量ＣＥを乱す、いかなる物体Ｏも存在しなくなるか、またはタイムアウトＴＩＭＥＯＵＴ（例えば３０秒を超過する）が発生するまで。タイムアウトＴＩＭＥＯＵＴが発生した場合には、ユーザは、自分の手を移動させ、後述する少なくとも１つの助勢機能を再び実行したい場合には、自分の手を再びノブに戻さなければならないことは理解しうると思う。
低周波信号の放射の終了後には、保存動作が解除される。自己適応が再び可能になる。しかしながら、自己適応（基準レベルＲＥＦの新しい値の新しい保存）は、物体Ｏが存在していない状態でのみ実行される。したがって、低周波信号の放射の終了後に、物体Ｏが残っている限り、基準レベルＲＥＦの新しい値が保存されることはない（タイムアウトＴＩＭＥＯＵＴが発生した場合以外には）。
【００７６】
したがって、基準レベルＲＥＦは、検出部材ＥＡ／ＥＢが位置している周囲環境のみ（物体Ｏを含まない）の変化に由来しない、物理量ＣＥの測定量の変化によって変更されることはない。
このようにして、存在検出装置ＣＡＰＴは、低周波信号ＢＦの放射の終了後に持続する、自動車の開口部のノブに差し伸べられている手の存在を検出することができる（手を、低周波信号ＢＦの放射の前に開口部のノブに差し伸べ始めていたのか、または放射中に差し伸べ始めたのかに関わらず）。
【００７７】
存在検出装置ＣＡＰＴは、さらに、低周波信号ＢＦの放射の前に自動車の開口部のノブに差し伸べられ始めており、低周波信号ＢＦの放射中にノブへの差し伸べを停止された手の存在を検出することができることは理解しうると思う。
【００７８】
図３は、存在検出装置ＣＡＰＴを、より詳細に示している。
【００７９】
前述の要素に加えて、存在検出装置ＣＡＰＴは、次のものを備えている。
−  非限定的な一実施形態において、検出部材ＥＡ／ＥＢに組み合わされた電流発生器ＧＡ／ＧＢである、少なくとも１つの測定手段。図３の場合には、２つの検出部材ＥＡ／ＥＢに、それぞれ組み合わされた２つの電流発生器ＧＡ／ＧＢ。
−  保存装置ＬＯＧＩＣの電圧を調整するための電圧レギュレータＲＥＧ。
−  入力電圧Ｖｉｎから受ける電気エネルギーを蓄えて、電圧レギュレータＲＥＧの入力電圧を安定化させるための入力キャパシタＣ２。非限定的な一例として、入力キャパシタＣ２は、同様の機能を有する別の装置であってもよい。
−  保存装置ＬＯＧＩＣへの電力供給電圧を安定化させ、それによって供給電力の変動を防止するための第２のキャパシタＣ１。
−  第１の電流発生器ＧＡの発生器出力電流ＩAを定めるための、第１の１対の抵抗Ｒ２、Ｒ２’。
−  第２の電流発生器ＧＢの発生器出力電流ＩBを定めるための、第２の１対の抵抗Ｒ３、Ｒ３’。
【００８０】
存在検出装置ＣＡＰＴは、さらに、次のものを備えている。
−  低周波信号ＢＦの放射の開始を検出するための低周波検出素子ＣＭＰ。
−  測定手段（図３の場合には電流発生器ＧＡ／ＧＢ）が、出力電気量（図３の場合には発生器出力電流ＩA／ＩB）を発生させないように、測定手段を機能停止させるための機能停止手段ＩＮＨ。
【００８１】
図１および図３に示されている入力電圧Ｖｉｎによって、存在検出ユニットＰＳＵに電圧が供給されると、存在検出ユニットＰＳＵは、図１に示されている共通電流ＩPSUを消費する。この共通電流ＩPSUは、次のように分割される。
−  低周波信号を放射するアンテナＴＸを流れるアンテナ電流ＩTX、
−  電流発生器ＧＡおよび／またはＧＢが作動しているときに、電流発生器ＧＡおよび／またはＧＢによって、それぞれ生成される発生器出力電流ＩAおよび／またはＩBに分割されるセンサ電流Ｉcapt、
−  電圧レギュレータＲＥＧおよび保存装置ＬＯＧＩＣに電力を供給するためのスタンバイ電流Ｉidle。このスタンバイ電流Ｉidleは、２つの発生器出力電流ＩAおよびＩBより相当に小さい。
【００８２】
入力電圧Ｖｉｎによって、存在検出装置ＣＡＰＴに電力供給されるとき、その入力電圧Ｖｉｎは、連続電圧（例えば１２Ｖの）の形態をしている。存在検出装置ＣＡＰＴは、連続的な電力供給を必要とする。存在検出装置ＣＡＰＴは、電力供給されると、自動車Ｖの開口部のノブＰに差し伸べられているユーザの手の存在を検出することができる。
【００８３】
次のいずれかのやり方で、ユーザの手を、ノブＰに差し伸べることができる。
−  手を、ノブＰの内側に置く（検出部材ＥＡを形成している電極セットがアクティブになる（電極間の容量が変化する））。
−  手を、ノブＰ上に置き、したがって、ノブＰに接触する（検出部材ＥＢを形成している電極セットがアクティブになる）。
ノブＰに差し伸べられているユーザの手の存在が検出がなされると、アクティブになった各電極セットから成る検出部材ＥＡ、および／またはＥＢに組み合わされた、存在検出装置ＣＡＰＴの電流発生器ＧＡ、および／またはＧＢが作動する。したがって、検出部材ＥＡ／ＥＢのアクティブ化に基づいて作動した、それらに組み合わされた電流発生器ＧＡ／ＧＢに、発生器出力電流ＩA／ＩBが発生する。
【００８４】
したがって、このときには、電源からの共通電流ＩPSUは、発生している発生器出力電流ＩAおよび／またはＩBと、スタンバイ電流Ｉidleとの和に等しい。共通電流ＩPSU（したがって、発生器出力電流ＩAおよび／またはＩB）によって、自動車ＶのコントローラＥＣＵは、ノブＰに差し伸べられているユーザの手の存在状態をチェックすることができることに注意されたい。
実際、自動車ＶのコントローラＥＣＵは、この消費された共通電流ＩPSUを測定し、その値に応じて、次のいずれが生じているかを特定することができる。
−  １）手は、接触していようといまいと、ノブＰの内側に位置している（ＩPSU＝ＩA＋Ｉidle）。
−  ２）手は、ノブＰ上に位置している（ＩPSU＝ＩB＋Ｉidle）。
−  ３）手は、ノブＰの内側、かつノブＰ上に位置している（ＩPSU＝ＩA＋ＩB＋Ｉidle）。
−  ４）いかなる手も、存在していない（ＩPSU＝Ｉidle）。
したがって、共通電流ＩPSUの測定結果に応じて、コントローラＥＣＵは、なされた検出に対応する、自動車の施解錠に関するコマンドを、次のように実行することができる。
−  第１の場合１）においては、開錠する。
−  第２の場合２）においては、施錠する。
−  第３の場合３）においては、開錠と施錠との間の優先度を特定し、その優先度関数に応じたコマンドを実行する。
−  第４の場合４）においては、何も行わない。
【００８５】
したがって、測定手段（この例においては、電流発生器ＧＡ／ＧＢ）は、検出部材ＥＡ／ＥＢの状態（アクティブになっているか否か）に関する情報を与えることができる。
さらに、手がノブＰに差し伸べられている期間に応じて、コントローラＥＣＵは、後述する少なくとも１つの助勢機能を実行することができる。
アンテナＴＸは、ユーザによって保持されている識別オブジェクトＩＤの識別／認証を可能にするために、また自動車へのアクセスを可能にするために、低周波信号ＢＦを放射する（この放射は、手の検出後に開始されるものであっても、または「ポーリング」方式によって定期的に行われているものであってもよい）。識別オブジェクトＩＤの識別によって、そのシリアル番号および認証番号を知ることができ、それによって、単純になされる（識別オブジェクトによってなされる）か、相補的になされる（識別オブジェクトと自動車とによってなされる）かにかかわらず、識別オブジェクトＩＤが、その自動車へのアクセス権を有しているか否かをチェックすることができるようになることに注意されたい。認証は暗号化技術を介して行われる。
このような動作を行うために、アンテナＴＸは、入力電圧Ｖｉｎによる電圧を供給される。このために、入力電圧Ｖｉｎは、例えば−１２Ｖ／０Ｖ／＋１２Ｖのパルス信号にされる。非限定的な別の例において、入力電圧Ｖｉｎを、０Ｖ／＋１２Ｖまたは−１２Ｖ／０Ｖの信号とすることもできる。インダクタＬとキャパシタＣから成る共振回路ＬＣを有するアンテナＴＸは、このパルス信号化された入力電圧Ｖｉｎを電磁場に変換して、識別オブジェクトＩＤと通信する（共振電圧ＶｂＦを介して）。
【００８６】
次に、存在検出装置ＣＡＰＴの動作を、以下に述べる各実施形態と関連付けて、より詳細に説明する。
【００８７】
以下の説明においては、非限定的な一例として、容量性の存在検出装置ＣＡＰＴを用いる。すなわち、検出部材として電極セットを用いる。さらに、非限定的な一例として、自動車の開口部のノブに差し伸べられている、その自動車のユーザの手などの物体Ｏの存在を、以下においても考察する。
第１の検出部材ＥＡ（電極セットから成り、接近電極とも呼ばれる）によって、開口部の解錠を行うために、ノブＰの内側に挿入された手の存在（接触していようといまいと）を検出することができる。
第２の検出部材ＥＢ（電極セットから成り、接触電極とも呼ばれる）によって、開口部の施錠を行うために、ノブＰ上に置かれた手の存在を検出することができる（一般的には、例えば手がノブの外面の特定の位置上に置かれたときに）。
非限定的な一実施形態においては、各電極セットは、それぞれ、２つの電極ＥＡ１とＥＡ２、ＥＢ１とＥＢ２を有している。第１の電極ＥＡ１、ＥＢ１は励振電極、第２の電極ＥＡ２、ＥＢ２は測定電極と呼ばれる。第１の電極は、励振信号を出す。２つの電極間に、電気力線が形成され、第１の電極と第２の電極との間の容量結合、および／または誘導結合によって得られる信号が測定される（制御集積回路である保存装置ＬＯＧＩＣによって）。したがって、手が、ノブＰの内側に、接触することなく挿入されるか、またはノブＰと接触すると、２つの電極間の容量は急激に減少する。事実、電気力線は、手の存在によって変化する（いくつかの電気力線が、地面と等価であると考えることができる手の方向にそらされる）。
非限定的な別の一実施形態において、電極セットは、地面とともに用いられる単一の電極である。この場合には、測定されるのは、電極と地面との間の容量である。上述の例と対照的に、容量は、手の存在によって急激に増加する。
このような電極セットの使用は、当業者には公知のことであるので、本明細書においては、これ以上詳細に説明しない。
【００８８】
第１の実施形態
図４は、存在検出装置ＣＡＰＴの第１の実施形態を示す。
この第１の実施形態は、上述の特性に加えて、次の特性を備えている。
−  ａ）アンテナＴＸと存在検出装置ＣＡＰＴとは、共通の電源から電力を供給される。
−  ｂ）低周波検出素子ＣＭＰは、入力キャパシタＣ２の端子間電圧Ｖc2と入力電圧Ｖｉｎとを比較するためのコンパレータである。非限定的な一変形実施例において、低周波検出素子ＣＭＰは、ヒステリシスコンパレータである。
−  ｃ）機能停止手段ＩＮＨは、入力電圧Ｖｉｎの値が、入力キャパシタＣ２の端子間電圧Ｖc2から第１の電圧閾値Ｖｓ１を引いた値未満であるときに、電流発生器ＧＡ／ＧＢを機能停止させる。
【００８９】
非限定的な一実施例において、存在検出装置ＣＡＰＴは、上述の特性に加えて、さらに次のものを有する。
−  連続電力供給の中断の経過時間ＴCを測定して、次のことを認可するための第１の時間フィルタＴＦ１。
・  経過時間ＴCが、第１のあらかじめ定められた期間Ｔｐ１より長くなった場合のみ、低周波信号ＢＦの放射の前に測定された基準レベルＲＥＦの値を保存する。
・  経過時間ＴCが、第１のあらかじめ定められた期間Ｔｐ１より長くなった場合のみ、作動している一方または両方の電流発生器ＧＡ／ＧＢを機能停止させる。
−  次のことを認可するための第２の時間フィルタＴＦ２。
・  第２のあらかじめ定められた期間より長い期間Ｔｐ２において、入力電圧Ｖｉｎが、入力キャパシタＣ２の端子間電圧Ｖc2に等しいときに、低周波信号ＢＦの放射の前に測定された基準レベルＲＥＦの保存値を開放する。
・  第２のあらかじめ定められた期間より長い期間Ｔｐ２において、入力電圧Ｖｉｎが、入力キャパシタＣ２の端子間電圧Ｖc2に等しいときに、機能停止している片方または両方の電流発生器の機能停止を解除する。
【００９０】
非限定的な一例において、第１のあらかじめ定められた期間Ｔｐ１は、電源電圧降下期間より長い。実際には、後に示されるように、このチェックは、第１のあらかじめ定められた期間Ｔｐ１の間、低周波検出素子ＣＭＰの出力Ｓ＿ＣＭＰがハイ状態にあるか否かを調べることによって遂行される。
【００９１】
非限定的な一例において、第２のあらかじめ定められた期間は、低周波信号の周期ＴBFに等しいか、またはこの周期の倍数に等しい。
一変形実施例において、第２のあらかじめ定められた期間より長い期間Ｔｐ２において、入力電圧Ｖｉｎの値が、入力キャパシタＣ２の端子間電圧Ｖc2から、第２の電圧閾値Ｖｓ２を引いた値より大きいときに、第２の時間フィルタＴＦ２は、保存動作の解除を認可する。
表現「保存動作の解除」は、第２の時間フィルタＴＦ２が、検出部材ＥＡ／ＥＢの対応する物理量からの基準レベルの自己適応を再び可能にすることを意味している。したがって、自己適応は、もはや一時停止の状態でなくなる。
【００９２】
上述の２つの時間フィルタの機能を、単一の時間フィルタで行なうことができることは理解しうると思う。さらに、非限定的な一実施例において、第１のあらかじめ定められた期間Ｔｐ１を、第２のあらかじめ定められた期間より長い期間Ｔｐ２と等しくすることができる。このようにすると、時間フィルタリングを単純化し、それによって、時間フィルタの設計を単純化することができる。
【００９３】
存在検出装置ＣＡＰＴは、さらに、次のものを備えている。
−  電圧レギュレータＲＥＧへの電圧を一定値以下に抑えて、過電圧を防止するためのツェナーダイオードＺ。
−  存在検出装置ＣＡＰＴに電力が供給されているときに、入力電圧Ｖｉｎに過電圧が発生した際、ツェナーダイオードＺおよび入力キャパシタＣ２に流れる電流を制限するための第１の抵抗Ｒ１。
−  入力電圧Ｖｉｎの反転から電圧レギュレータＲＥＧを保護するために、電圧レギュレータＲＥＧに直列に接続されている第１のダイオードＤ１。
−  低周波信号の放射の開始を検出するための低周波検出素子ＣＭＰを、入力電圧Ｖｉｎの反転から保護するために、低周波検出素子ＣＭＰに直列に接続されている第２のダイオードＤ２。
【００９４】
この第１の実施形態による存在検出装置ＣＡＰＴは、次のように作動する。
【００９５】
以下に示すように、入力電圧Ｖｉｎと、入力キャパシタＣ２の端子間電圧Ｖc2とを比較することによって、存在検出装置ＣＡＰＴへの連続電力供給の中断を検出することができる。この比較は、連続的に行ってもよいし、間欠的に（サンプリングによって）行ってもよい。
したがって、低周波信号の放射の開始は検出される（この放射は、手の検出に基づいて開始してもよいし、または「ポーリング」手法に基づいて行ってもよい）。
実際、入力電圧Ｖｉｎが連続的でなくなるために、存在検出装置ＣＡＰＴへの連続電力供給が断たれる。アンテナＴＸの作動を可能にするのはパルス電圧である。この実施形態においては、アンテナＴＸと存在検出装置ＣＡＰＴとは、共通の電源から電力供給されることに注意されたい。
【００９６】
このとき、連続電力供給のそのような中断が検出されると、検出部材ＥＡ／ＥＢに伴う物理量ＣＥからの基準レベルＲＥＦの値が固定される。
【００９７】
さらに、作動している電流発生器ＧＡおよび／またはＧＢが機能停止させられる。
【００９８】
これによって、特に、次のことを行っている手の存在を検出することができる。
−  低周波信号ＢＦの放射中にノブＰに差し伸べられ始めて、その後も差し伸べられ続けている。
−  低周波信号ＢＦの放射の前にノブＰに差し伸べられ始めて、その後も差し伸べられ続けている。
【００９９】
したがって、長時間、言い換えると、低周波信号の放射期間を超過して、ノブＰに差し伸べられている手の存在を検出することができる。
【０１００】
図５の各グラフを用いることによって、この第１の実施形態による存在検出装置ＣＡＰＴの動作について、より詳細に説明することができる。
図５において、この場合には入力電圧Ｖｉｎであるアンテナ励振電圧は、低周波信号ＢＦの放射に対応している。
【０１０１】
−  図５の例では、時刻ｔ０において、自動車Ｖの開口部のノブＰに差し伸べられている手は存在していない。
存在検出装置ＣＡＰＴは、図５の１番目のグラフに示されている入力電圧Ｖｉｎによる電圧を供給されている。存在検出装置ＣＡＰＴは作動していない（手が存在していない状態で、入力電圧Ｖｉｎを供給されている）。
時刻ｔ０においては、この入力電圧Ｖｉｎは、バッテリ電圧Ｖｂａｔと一致する電圧（この例においては１２Ｖ）である。
入力キャパシタＣ２は、この入力電圧Ｖｉｎから与えられた電気エネルギーを蓄えて、存在検出装置ＣＡＰＴに電力を供給し、また自身を充電する。したがって、入力キャパシタＣ２の端子間電圧Ｖc2は、入力電圧Ｖｉｎまで上昇する。図５の１番目のグラフにおいて、（Ｖc2＝Ｖｉｎ）である。
第２のキャパシタＣ１も、図５の５番目のグラフに示すように、その端子間電圧が最大電圧Ｍａｘに達するまで充電される。
したがって、入力キャパシタＣ２の端子間電圧Ｖc2は、存在検出装置ＣＡＰＴの入力電圧を表わすことは理解されるであろう。
【０１０２】
存在検出ユニットＰＳＵによって消費される共通電流ＩPSUに関しては、共通電流ＩPSUは、図５の７番目のグラフに示すように、スタンバイ電流Ｉidleと等しい（いずれの電流発生器ＧＡ／ＧＢも作動しておらず、したがって、発生器出力電流ＩA／ＩBは発生していない）。
【０１０３】
−  時刻ｔ１において、ユーザは、自分の手を、自動車Ｖの開口部のノブＰの内側に置く。存在検出装置ＣＡＰＴは、そのノブＰに組み合わされている検出部材ＥＡの容量が変化したことを検出する。したがって、そのために、図５の６番目のグラフＤＥＴＥＣＴ＿ＥＡに示すように、第１の電流発生器ＧＡも作動する（オン状態になる）。
【０１０４】
このとき、存在検出ユニットＰＳＵによって消費される共通電流ＩPSUは、図５の７番目のグラフに示すように、作動している電流発生器ＧＡによって生成される発生器出力電流ＩAと、スタンバイ電流Ｉidleとの和に等しくなる。
【０１０５】
−  時刻ｔ２において、ノブＰに差し伸べられているユーザの手の存在の検出に続いて、アンテナＴＸが低周波信号ＢＦを放射することができるように、アンテナＴＸに電力供給を行うために、入力電圧Ｖｉｎがパルス信号化される。この例においては、手の検出によって、低周波信号ＢＦの放射が引き起こされる。同じ原理を、「ポーリング」手法の場合にも当てはめることができることは明らかである。
【０１０６】
したがって、入力電圧Ｖｉｎは、アンテナＴＸによる低周波信号ＢＦの放射を開始するまでの時間に等しい、時刻ｔ２〜ｔ４の時間間隔の間、０まで低下している。
したがって、存在検出装置ＣＡＰＴに対する連続電力供給は断たれる。
存在検出装置ＣＡＰＴに電力が供給されなくなると、存在検出装置ＣＡＰＴは、外部からの電気エネルギーの供給なしで、自立的に作動する。すなわち、存在検出装置ＣＡＰＴは、依然として、存在検出のための十分なエネルギーを有している。
入力キャパシタＣ２が、図５の１番目のグラフに示されているように、放電し始める（その端子間電圧Ｖｃ２が徐々に減少し始める）。
【０１０７】
このとき、コンパレータである低周波検出素子ＣＭＰは、入力電圧Ｖｉｎと、存在検出装置ＣＡＰＴの入力キャパシタＣ２の端子間電圧Ｖc2との間の電圧差を観測する。
入力電圧Ｖｉｎの値が、入力キャパシタＣ２の端子間電圧Ｖc2から第１の電圧閾値Ｖｓ１を引いた値より小さくなるような電圧差が観測されると、低周波検出素子ＣＭＰの出力Ｓ＿ＣＭＰは、図５の２番目のグラフに示すように、時刻ｔ２において、１（オン状態）に設定される。
この第１の電圧閾値Ｖｓ１は、入力キャパシタＣ２の端子間電圧Ｖc2の変化（充電時および放電時の）に追随することは理解しうると思う。この第１の電圧閾値Ｖｓ１は、入力電圧Ｖｉｎ上のスプリアス信号より大きくなるように定められる。これらのスプリアス信号は、入力電圧Ｖｉｎにリップルを発生させる場合がある。したがって、第１の電圧閾値Ｖｓ１をこのように定めることによって、低周波検出素子ＣＭＰに対するリップルの影響を無視することができる。
【０１０８】
−  したがって、このような電圧差が観測されると、図５の３番目のグラフＦＲＺ＿ＲＥＦに示されているように、存在検出装置ＣＡＰＴの基準レベルＲＥＦの自己適応が一時停止させられる（オン状態）。
検出部材ＥＡである電極セットの容量からの基準レベルＲＥＦの値が、前述のように固定される。これは、メモリに保存されている基準レベルＲＥＦの最新値が、低周波信号ＢＦの放射の前に測定された基準レベルの値であること、すなわちこの場合には、存在検出装置ＣＡＰＴへの連続電力供給の中断の前に測定された基準レベルの値であることを意味する。
したがって、存在検出装置ＣＡＰＴの設定が、そのまま固定される。
【０１０９】
−  時刻ｔ３において、すなわち、時刻ｔ２から、電圧降下期間より長い、第１のあらかじめ定められた期間Ｔｐ１の後の、低周波検出素子ＣＭＰの出力Ｓ＿ＣＭＰが１（オン状態）に設定されているときに、図５の３番目のグラフに示されている非限定的な実施例では、基準レベルＲＥＦの自己適応が一時停止させられ、その結果、基準レベルＲＥＦは固定される。これによって、電圧降下と、存在検出装置ＣＡＰＴへの電力供給の真の中断との混同を避けることができ、したがって、電圧降下が発生するたびに、基準レベルＲＥＦの値を固定するという事態を避けることができる。したがって、自己適応の理由のない抑制が防止される。電圧降下は、例えば電磁波による障害やコネクタ問題（コネクタの不完全な接触）によって発生し得ることに注意されたい。
【０１１０】
したがって、アンテナＴＸによる低周波信号ＢＦの放射によって、入力電圧Ｖｉｎと、入力キャパシタＣ２の端子間電圧Ｖc2との間の、上述のような電圧差が発生することは理解しうると思う。
存在検出装置ＣＡＰＴが容量性の装置である場合には、存在検出装置ＣＡＰＴが、もはや入力電圧Ｖｉｎからの連続電力供給を受けなくなっているときに、存在検出装置ＣＡＰＴが、十分に電力を使用し続けることができる（入力キャパシタＣ２および第２のキャパシタＣ１が、十分に充電されている）としても、すなわち自立的に作動する（存在検出装置ＣＡＰＴが、依然として、ノブＰに差し伸べられている手の存在を検出する）ことができるとしても、アンテナＴＸと容量性の存在検出装置ＣＡＰＴとの間のスプリアスな容量結合および／または誘導結合のために、低周波信号ＢＦは、存在検出装置ＣＡＰＴの動作を妨害する。アンテナＴＸが、存在検出装置ＣＡＰＴの近傍にある（一般に、両者はともにノブ内にある）から、そのようなスプリアスな容量結合および／または誘導結合は、実際に発生する。これによって、存在検出装置ＣＡＰＴが自立的に作動しているとき、基準レベルＲＥＦに相当な変動が発生することがあり、さらに、自動車ＶのノブＰに差し伸べられているユーザの手の存在の検出漏れや誤検出が発生することがある。
検出漏れは、ノブＰに差し伸べられているユーザの手が存在しているときに、そのような手の存在を検出しないことであり、一方、誤検出は、ノブＰに差し伸べられているユーザの手が存在していないときに、そのような手の存在を検出することであることに注意されたい。
【０１１１】
したがって、低周波信号ＢＦの放射中、存在検出装置ＣＡＰＴの基準レベルＲＥＦの値を固定することによって、基準レベルＲＥＦの変動および手の存在の検出漏れ／誤検出を防止することができる。したがって、これによって、低周波信号ＢＦの放射によって発生する、容量性の存在検出装置ＣＡＰＴに対する妨害は最小になる。
【０１１２】
存在検出装置ＣＡＰＴには、もはや入力電圧Ｖｉｎからの連続電力供給がなされないから、第２のキャパシタＣ１および入力キャパシタＣ２が放電しないように、存在検出装置ＣＡＰＴに、できるだけ電流を流さないようにすることが重要であることは理解しうると思う。実際、基準レベルＲＥＦの値を保存することができるように、存在検出装置ＣＡＰＴを自立的に作動させておくことが望ましい。したがって、作動している電流発生器（この例においては電流発生器ＧＡ）は、もはや発生器出力電流ＩAを発生させることができなくなるように、機能停止させられる。そのような機能停止が、図５の４番目のグラフＩＮＨ＿ＧＡに示されている（オン状態）。
この機能停止動作は、基準レベルＲＥＦの値が固定されている場合のように、存在検出装置ＣＡＰＴに対する電力供給停止が観測されているときに実行される。
【０１１３】
電流発生器の機能停止のために、非限定的な例として、次のいずれかが行われる。
−  作動している電流発生器（この場合には電流発生器ＧＡ）に対応する、存在検出装置ＣＡＰＴの電流出力が停止される（出力状態が０）。この停止動作は、制御集積回路によって論理的に実行される。この場合においては、機能停止手段ＩＮＨは、制御集積回路である。
−  作動している電流発生器（この場合には電流発生器ＧＡ）への電力供給自体が断たれる。非限定的な一例において、機能停止手段ＩＮＨは、電流発生器ＧＡに対する制御手段を接地するトランジスタＴＲ２であってもよい。実際には、２つの電極を有する電極セットの場合には、測定電極が接地される。したがって、その電位は０に固定される。したがって、容量の測定値は０に抑えられる。
【０１１４】
したがって、電流発生器ＧＡの機能停止のために、共通電流ＩPSUは、図５の７番目のグラフに示されているように、時刻ｔ３において、スタンバイ電流Ｉidleのみに等しくなる。したがって、電流発生器ＧＡは、もはや作動していない。
【０１１５】
このような機能停止によって、存在検出装置ＣＡＰＴに連続電力供給を行う入力電圧Ｖｉｎがもはや存在していないときに、第２のキャパシタＣ１および入力キャパシタＣ２の放電が防止される。
【０１１６】
非限定的な一実施例において、低周波検出素子ＣＭＰの出力Ｓ＿ＣＭＰが１（オン状態）になると、電圧降下期間より長い、第１のあらかじめ定められた期間Ｔｐ１の後に、基準レベルＲＥＦの値が固定されるのと同様に、図５の４番目のグラフに示されているように、電流発生器ＧＡは機能停止させられる。これによって、電圧降下と、存在検出装置ＣＡＰＴに対する真の電力供給中断との混同を避けることができ、したがって、電圧降下が発生するたびに、電流発生器を機能停止させるという事態を避けることができる。したがって、理由のない機能停止が防止される。
【０１１７】
図５の５番目のグラフに示されているように、時刻ｔ３において、第２のキャパシタＣ１は放電していないことが認識される。実際、第２のキャパシタＣ１は、それ自体で放電するほどに十分に放電しない（入力キャパシタＣ２は、それでも、それよりわずかに多く放電するかもしれないが、それは、保存装置ＬＯＧＩＣおよび電圧レギュレータＲＥＧがそれ自体の作動のために必要な若干のエネルギーを消費するという事実によるものであって、電流発生器ＧＡに電流を供給するためではない）。さらには、入力キャパシタＣ２は、アンテナ励振電圧として用いられている入力電圧Ｖｉｎによって若干充電される場合もある。
【０１１８】
時刻ｔ２〜ｔ３において、すなわち、存在検出装置ＣＡＰＴへの連続電力供給の中断の開始時と、存在検出装置ＣＡＰＴの設定の固定の開始時との間の期間において、存在検出装置ＣＡＰＴの入力キャパシタＣ２は、図５の１番目のグラフに示されているように若干放電するが、存在検出装置ＣＡＰＴが再初期化されて、以前に保存された基準レベル値ＲＥＦの値を失うほどには放電しないことは理解しうると思う。
さらに、第１のあらかじめ定められた期間Ｔｐ１は、時刻ｔ２と、低周波信号ＢＦの放射の開始時刻ｔ４との間の期間より短いことは理解しうると思う。そうでなければ、アンテナＴＸと存在検出装置ＣＡＰＴの検出部材ＥＡ／ＥＢとの間に発生するスプリアスな結合によって、基準レベルＲＥＦの値が乱されてしまう。
【０１１９】
−  手の存在の検出に続く、時刻ｔ４において、自動車Ｖのユーザによって保持されている識別オブジェクトＩＤに応答指令信号を送り、その識別オブジェクトＩＤが確かにその自動車Ｖに対応していることをチェックし、それによって、自動車Ｖへのアクセスを可能にするために、アンテナＴＸから低周波信号ＢＦが放射される。それに応答して、識別オブジェクトＩＤは、その識別オブジェクトＩＤの識別を可能にする識別オブジェクトコード、および自動車へのその後のアクセスを可能にする認証を有効にする暗号データを含む、４３３ＭＨｚの一般的な周波数（限定するものではない）の無線周波数応答信号ＲＦを送る。
無線周波数応答信号ＲＦの返送は、ユーザが自動車の開口部を開くために、その開口部のノブＰを引く前になされることは理解しうると思う。
低周波信号ＢＦは、時刻ｔ４〜ｔ５の期間、通常、数マイクロ秒の定められた周期ＴBF（概ね１２５ｋＨｚに相当する）で放射される。他の周波数を用いることもできることは明らかである。
アンテナＴＸが、図５の１番目のグラフに示すように、パルス信号化された不連続電圧（この例においては、−１２Ｖ／０Ｖ／＋１２Ｖの）で動作しているから、このとき、入力電圧Ｖｉｎは、そのようなパルス電圧になっている。
【０１２０】
低周波信号ＢＦが放射されているときにも、コンパレータである低周波検出素子ＣＭＰは、依然として、入力電圧Ｖｉｎと、存在検出装置ＣＡＰＴの入力キャパシタＣ２の端子間電圧Ｖc2との間の電圧差を検出する。
したがって、入力電圧Ｖｉｎが、＋１２Ｖ〜０Ｖ〜−１２Ｖと変化するにつれて、低周波検出素子ＣＭＰの出力Ｓ＿ＣＭＰは、図５の２番目のグラフの例に示されているように、（Ｖｉｎ＝０Ｖ）または（Ｖｉｎ＝−１２Ｖ）のときに、１（すなわちオン状態）となり、（Ｖｉｎ＝＋１２Ｖ）のときに、０（すなわちオフ状態）となる。
【０１２１】
図５の３番目および４番目のグラフにそれぞれ示されているように、存在検出装置ＣＡＰＴの基準レベルＲＥＦは、依然として固定されており（オン状態）、また存在検出装置ＣＡＰＴは、依然として自立的に動作している（オン状態）（電力供給できる入力電圧Ｖｉｎは存在せず、電流発生器ＧＡは機能停止している）。
【０１２２】
−  時刻ｔ５において、アンテナＴＸが、低周波信号ＢＦの送信を終え、ある待ち時間の後に、時刻ｔ６において、入力電圧Ｖｉｎによる存在検出装置ＣＡＰＴへの電力の再供給が可能になる。入力電圧Ｖｉｎは、図５の１番目のグラフに示されているように、再び連続的になり、この例においては１２Ｖである。したがって、連続電力供給のいかなる中断ももはやない。
【０１２３】
連続的な入力電圧Ｖｉｎが、存在検出装置ＣＡＰＴの入力キャパシタＣ２の端子間電圧Ｖc2より大きいから、コンパレータである低周波検出素子ＣＭＰの出力Ｓ＿ＣＭＰは、図５の２番目のグラフに示されているように、再び、０（オフ状態）になる。
存在検出装置ＣＡＰＴが、電力を再供給されるから、第２のキャパシタＣ１および入力キャパシタＣ２は、図５の５番目および１番目のグラフにそれぞれ示されているように、端子間電圧が最大電圧ＭＡＸおよび入力電圧Ｖｉｎに達するまで再充電される。
存在検出装置ＣＡＰＴへの連続電力供給のいかなる中断も、もはや存在しなくなると、次のことが可能になる。
−  低周波信号ＢＦの放射の前に測定された基準レベルの、保存されている値を開放する、すなわち、再び自己適応（手が存在していないときに行われる）を可能にする。
−  機能停止していた電流発生器ＧＡ／ＧＢ（この例においては電流発生器ＧＡ）を再び作動させる（機能停止を解く）。
【０１２４】
一変形実施例として、存在検出装置ＣＡＰＴに電力が再供給された（端子間電圧Ｖc2が入力電圧Ｖｉｎに達するまで、入力キャパシタＣ２が充電された）にもかかわらず、それに続いて、機能停止していた電流発生器が、再び作動させられることなく、また低周波信号ＢＦの放射の前に測定された基準レベルの、保存されている値が開放されることがない、言い換えると、電極セットである検出部材ＥＡの物理量からの基準レベルＲＥＦの自己適応が、有効にされることがないという事態を想像することはできる。
実際、アンテナＴＸからの低周波信号ＢＦの放射の際、パルス信号化された入力電圧Ｖｉｎは、前述のように、−１２Ｖ〜０Ｖ〜＋１２Ｖと変化する。コンパレータである低周波検出素子ＣＭＰは、この変化と端子間電圧Ｖc2とを比較することによって、上述のような出力Ｓ＿ＣＭＰを示す。したがって、低周波信号ＢＦの放射によって、存在検出装置ＣＡＰＴに対して、断続的に（パルス信号化された入力電圧Ｖｉｎが＋１２Ｖのときに）電力供給がなされており、したがって、上述の事態が発生すると考えられる恐れがある（実際には、そのような事態は発生しないのであるが）。
【０１２５】
−  この恐れを解消するために、アンテナＴＸからの低周波信号ＢＦの周期ＴBFすなわち第２のあらかじめ定められた期間より長い期間Ｔｐ２を通じて、入力電圧Ｖｉｎの値が、入力キャパシタＣ２の端子間電圧Ｖc2から、第２の電圧閾値Ｖｓ２を引いた値より小さい場合に、または、それと等価的に、アンテナＴＸからの低周波信号ＢＦの周期ＴBFすなわち第２のあらかじめ定められた期間より長い期間Ｔｐ２を通じて、低周波検出素子ＣＭＰの出力Ｓ＿ＣＭＰが、１（オン状態）になっている場合に、第２の時間フィルタＴＦ２が、低周波信号ＢＦの放射の前に測定された基準レベルＲＥＦの、保存されている値の開放を認可する、すなわち、基準レベルＲＥＦの自己適応を再び可能にする。したがって、これは、図５の３番目のグラフＦＲＺ＿ＲＥＦに示されているように、時刻ｔ７において行われる。
【０１２６】
したがって、時刻ｔ７において、存在検出装置ＣＡＰＴは、電極セットである検出部材ＥＡに対応する基準レベルＲＥＦを、再び自己適応（手が存在していないときに行われる）させることを再認可される。
時刻ｔ７においては、依然として手が検出されている（図５の６番目のグラフＤＥＴＥＣＴ＿ＥＡ）から、低周波信号ＢＦの放射の前に測定された基準レベルＲＥＦの値、より詳細には、存在検出装置ＣＡＰＴに対する連続電力供給の中断の前に測定された基準レベルＲＥＦの値が、この例においては、依然として、保存されている値であることは理解されるであろう。自己適応は、実際には、手が再び存在しなくなったときにしか行われない。
【０１２７】
したがって、第２の時間フィルタＴＦ２は、低周波信号ＢＦの放射周波数を選別することを可能にする。
【０１２８】
同じ理由で、第２の時間フィルタＴＦ２は、機能停止されていた電流発生器ＧＡを、次のいずれかによって再作動させる。
−  存在検出装置ＣＡＰＴの（この例においては電流発生器ＧＡの）発生器出力電流ＩAを再び流す。
−  電流発生器ＧＡへの電力供給を再開させる。
このとき、アンテナＴＸからの低周波信号ＢＦの周期ＴBFすなわち第２のあらかじめ定められた期間より長い期間Ｔｐ２を通じて、入力電圧Ｖｉｎの値は、入力キャパシタＣ２の端子間電圧Ｖc2から、第２の電圧閾値Ｖｓ２を引いた値より大きい。
【０１２９】
したがって、電流発生器ＧＡの再作動は、図５の４番目のグラフＩＮＨ＿ＧＡに示されているように、時刻ｔ７において行われる。
これによって、再び、発生器出力電流ＩAを発生させることができる。
したがって、第２のキャパシタＣ１および入力キャパシタＣ２は、図５の５番目のグラフ（第２のキャパシタＣ１の端子間電圧が示されている）および１番目のグラフ（端子間電圧Ｖc2が示されている）にそれぞれ示されているように、端子間電圧が最大電圧ＭＡＸおよび入力電圧Ｖｉｎに達するまで最大限に再充電される。
したがって、共通電流ＩPSUは、図５の７番目のグラフＩPSUに示されているように、再び、スタンバイ電流Ｉidleと、作動した電流発生器ＧＡを流れる発生器出力電流ＩAとの和に等しくなる。
【０１３０】
存在検出装置ＣＡＰＴが活動しているか否かを確認するために用いられる、自動車ＶのコントローラＥＣＵによる共通電流ＩPSUの測定によって、存在検出装置ＣＡＰＴが依然として活動していること、すなわち、入力電圧Ｖｉｎによって、存在検出装置ＣＡＰＴに電力が供給されているときに、ノブＰに差し伸べられている手が依然として存在していることを確認することができる。
したがって、自動車Ｖのユーザが、自分の手を、長時間、すなわち低周波信号ＢＦの放射期間を超過して、ノブＰの内側に（触れていようといまいと）、またはノブＰ上に（したがって触れながら）置いていたとしても、ユーザの手の存在は、依然として、存在検出装置ＣＡＰＴによって検出される。したがって、低周波信号ＢＦの放射の終了後においてもノブＰに差し伸べられている手の存在に関する情報の損失が防止される。このために、低周波信号ＢＦの放射の終了後にも持続している、ノブへの手の差し伸べを検出する（「長期間支援」とも呼ばれる）ことによって、非限定的な例において、次のような助勢機能を作動させることができる。
−  ノブＰに差し伸べている手がなくなるまで、自動車の窓を上げる。
−  幌付きオープンカーの幌をせり上げる。
−  自動車の警報器を作動させる。
−  自動車を極度に使用不能にする、すなわち、自動車のドアを施錠した後に、内側ノブを離脱させる（これによって、泥棒が、例えば窓を破った後に、内側ノブを用いて内側から自動車のドアを開けることを防止することができる）、等々。
非限定的な一例において、この「長期間助勢」は３０秒間まで続いてもよい。
【０１３１】
時刻ｔ８において、自動車Ｖのユーザは、図５の６番目のグラフＤＥＴＥＣＴ＿ＥＡに示されているように、自動車ＶのノブＰから、自分の手を遠ざける（オフ状態）。このとき、電流発生器ＧＡが作動しなくなる（オフ状態）から、もはや、いかなる発生器出力電流ＩAも流れない。共通電流ＩPSUは、スタンバイ電流Ｉidleのみと等しくなる。
自動車ＶのコントローラＥＣＵによる共通電流ＩPSUの測定によって、存在検出装置ＣＡＰＴがもはや活動していないこと、すなわち、対応するノブＰに差し伸べられている手は存在していないことを確認することができる。
【０１３２】
したがって、上述の存在検出装置ＣＡＰＴは、従来技術の存在検出装置と違って、長時間持続してノブＰに差し伸べられている、自動車Ｖのユーザの手の存在を特定することができる。
従来の存在検出装置においては、例えば図６の２番目のグラフに示されているように、時刻ｔ７〜ｔ１２において、「長期間」にわたる手の存在が検出された場合には、入力キャパシタＣ２は、図６の３番目のグラフに示すように、時刻ｔ１１において完全に放電する（第２のキャパシタＣ１と同様に）。それによって、存在検出装置ＣＡＰＴの活動は停止し、リセットされる。したがって、存在検出装置ＣＡＰＴの保存装置ＬＯＧＩＣがリセットされ、それによって、以前に保存された基準レベルＲＥＦの値が失われる。
したがって、存在検出装置は、新規に測定された基準レベルＲＥＦの値を有するようにリセットされる。その値は、手がノブＰに差し伸べられているときの値である。したがって、物理量の値と、保存されている基準レベルＲＥＦの値との比較において、ほとんど等しい２つの値が比較されることになるから、ノブＰに差し伸べられている手は検出されなくなる。
共通電流ＩPSUは、この時刻ｔ１１において、スタンバイ電流Ｉidleに等しくなる。
したがって、共通電流ＩPSUの測定によって、いずれの電流発生器ＧＡ／ＧＢも作動していないことが示される。しかしながら、実際には、ノブに差し伸べられている手が存在しているのであるから、この例においては、電流発生器ＧＡが作動していなければならない。
【０１３３】
上述より、第１の実施形態による存在検出装置ＣＡＰＴは、次の顕著な利点を有する。
−  アンテナＴＸによる低周波信号ＢＦの放射の開始前に、存在検出装置ＣＡＰＴ内の作動中の電流発生器を機能停止させ、かつ存在検出装置ＣＡＰＴの設定をそのまま固定することによって、確実に、存在検出装置ＣＡＰＴの検出部材の物理量からの基準レベルＲＥＦの値を、低周波信号ＢＦの放射中に変更させないようにすることができる。したがって、誤検出／検出漏れが避けられる。さらに、存在検出装置ＣＡＰＴが、容量性の装置である場合には、上述のようにすることによって、低周波信号ＢＦによる存在検出装置ＣＡＰＴへの妨害が確実に防止される。
−  第１の時間フィルタＴＦ１の作用によって、存在検出装置ＣＡＰＴへの連続電圧供給の真の中断と供給電圧の電圧降下との混同を避けることができ、したがって、電圧降下の際に、基準レベルＲＥＦの自己適応が一時停止されることはなく、そのために、電圧降下の際に、基準レベルＲＥＦの値が固定されることはない。
−  第２の時間フィルタＴＦ２の作用によって、存在検出装置ＣＡＰＴに対する電力の再供給と、低周波信号ＢＦの放射との混同を避けることができ、したがって、低周波信号ＢＦの放射中に、基準レベルＲＥＦの自己適合が生じることはない。
−  第１の電圧閾値Ｖｓ１の作用によって、入力電圧Ｖｉｎからスプリアス信号を取り除く。
−  低周波信号ＢＦの放射の前に、電極セットである検出部材ＥＡ／ＥＢに接近してきて、低周波信号ＢＦの放射の終了後も、そこに置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存するから）。
−  低周波信号ＢＦの放射中に、電極セットである検出部材ＥＡ／ＥＢに接近してきて、低周波信号ＢＦの放射の終了後も、その近傍に置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存し、放射中にも保存し続けるから）。
【０１３４】
第２の実施形態
存在検出装置ＣＡＰＴの第２の実施形態が、図７および図８に示されている。
【０１３５】
この第２の実施形態によれば、存在検出装置ＣＡＰＴは、第１の実施形態の場合と同様に、次のものを備えている。
−  電圧レギュレータＲＥＧへの電圧を一定値以下に抑えて、過電圧を防止するためのツェナーダイオードＺ。
−  存在検出装置ＣＡＰＴに電力が供給されているときに、入力電圧Ｖｉｎに過電圧が発生した際に、ツェナーダイオードＺおよび入力キャパシタＣ２に流れる電流を制限するための第１の抵抗Ｒ１。
−  供給電流の反転から電圧レギュレータＲＥＧを保護するために、電圧レギュレータＲＥＧに直列に接続された第１のダイオードＤ１。
【０１３６】
この第２の実施形態によれば、存在検出装置ＣＡＰＴは、さらに、次の特性を有している。
−  ａ）存在検出装置ＣＡＰＴは、アンテナＴＸと共通の電源から電力を供給される。
−  ｂ）低周波信号ＢＦの放射の開始を検出するための低周波検出素子ＣＭＰは、低周波信号ＢＦの放射を表わす共振信号を検出する。
−  ｃ）低周波信号ＢＦの放射中、存在検出装置ＣＡＰＴは、アンテナＴＸによって発生する共振電圧ＶｂＦから電力を供給される。
−  ｄ）低周波信号ＢＦの放射が検出されるとすぐに、機能停止手段ＩＮＨは、電流発生器ＧＡ／ＧＢを機能停止させる。
【０１３７】
特性ｂ）に関して、共振信号は、入力電圧Ｖｉｎより大きな電圧振幅を有することは理解しうると思う。したがって、共振信号は、より簡単に検出される。
【０１３８】
非限定的な第１の変形実施例において、共振信号は、図７に示すように、共振電圧ＶｂＦである。
この第１の変形実施例においては、共振電圧を得るために、アンテナＴＸが直接アクセスされる。したがって、非限定的な一例において、共振電圧ＶｂＦは、アンテナＴＸのインダクタＬの端子間電圧である。別の例として、共振電圧ＶｂＦは、アンテナＴＸのキャパシタＣの端子間電圧であってもよい。
低周波信号ＢＦの放射中、パルス信号化された入力電圧Ｖｉｎは、共振回路ＬＣを介して、アンテナＴＸに共振を誘起させる。これによって、共振電圧ＶｂＦと呼ばれる、ほとんど正弦波電圧である共振信号が発生する。この共振電圧は、電力を供給する入力電圧Ｖｉｎの最大値（この例においては１２Ｖ）よりはるかに大きい最大値を有する。
実際には、要約すると、共振信号を検出するために、低周波検出素子ＣＭＰは、アンテナＴＸの共振電圧ＶｂＦと、基準電圧Ｖｒｅｆとを比較することができる。その結果、低周波信号ＢＦの放射が検出される。共振電圧ＶｂＦのピーク検出結果電圧と基準電圧Ｖｒｅｆとを比較して、ピーク検出結果電圧が、基準電圧Ｖｒｅｆより大きい場合には、共振信号が存在しており、したがって低周波信号ＢＦが放射されていると結論づけることができる。
【０１３９】
非限定的な一例において、低周波信号ＢＦの放射の開始を検出するための低周波検出素子ＣＭＰは、次のものを備えている。
−  フィルタＲＣと組み合わされた第３のダイオードＤ３。
−  フィルタＲＣ。
−  分割器ブリッジＰＴ（非限定的な一例において抵抗性である）。
−  基準電圧Ｖｒｅｆ（非限定的な一例において０．６Ｖの）を供給するトランジスタＴＲ１。
第３のダイオードＤ３によって、共振信号の負側の成分を取り除くことができる。
第３のダイオードＤ３と、フィルタＲＣとを組み合わせることによって、さらに、整流された共振信号のピーク検出を行い、検出されたピーク値を有する出力信号を得ることができる。この出力信号は、共振信号を表わす電圧（イメージ電圧)である。
出力信号を基準電圧Ｖｒｅｆと比較することができるように、分割器ブリッジによって、出力信号を分割することができる。
【０１４０】
第２の変形実施例において、共振信号は、共振電流ＩｂＦである。この第２の変形実施例が、図８に示されている。
共振電流ＩｂＦは、アンテナＴＸのための励振電圧として用いられる入力電圧Ｖｉｎによって発生する電流である。
この第２の変形実施例においては、上述の第１の変形実施例の場合のように、アンテナに直接アクセスする必要はない。したがって、この第２の変形実施例は、アンテナＴＸへのアクセス点がない場合に有利である。
さらに、共振電流ＩｂＦは、ほとんど正弦波形状をしており、したがって、処理が容易である。
【０１４１】
低周波信号ＢＦの放射中、パルス信号化された入力電圧Ｖｉｎは、共振回路ＬＣを介して、アンテナＴＸに共振を誘起させる。これによって、電流である共振信号が発生する。
実際には、共振信号を検出するために、低周波検出素子ＣＭＰは、共振信号（この第２の変形実施例においては、共振電流ＩｂＦである）のイメージであるイメージ電圧Ｖｉと、基準電圧Ｖｒｅｆとを比較することができる。その結果、低周波信号ＢＦの放射が検出される。イメージ電圧Ｖｉのピーク検出結果電圧と、基準電圧Ｖｒｅｆとを比較することによって、ピーク検出結果電圧が基準電圧Ｖｒｅｆより大きい場合には、共振信号が存在しており、したがって、低周波信号ＢＦが放射されていると判断することができる。
【０１４２】
これをなすために、非限定的な一例において、低周波信号ＢＦの放射の開始を検出するための低周波検出素子ＣＭＰは、次のものを備えている。
−  測定抵抗Ｒｓｐ。
−  フィルタＲＣと組み合わされた第３のダイオードＤ３。
−  フィルタＲＣ
−  増幅器ＡＶ。
−  基準電圧Ｖｒｅｆ（非限定的な一例において０．６Ｖの）を供給するトランジスタＴＲ１。
測定抵抗Ｒｓｐを用いることによって、共振信号、すなわち共振電流ＩｂＦのイメージであるイメージ電圧Ｖｉを得ることができる。非限定的な一実施例において、測定抵抗Ｒｓｐは低く（数オーム程度）、したがって、共振電流ＩｂＦの振幅に影響を与えることはない。第３のダイオードＤ３によって、イメージ電圧Ｖｉの半波整流を行なうことができる。
さらに、第３のダイオードＤ３を、フィルタＲＣと組み合わせることによって、整流されたイメージ電圧Ｖｉのピーク検出を行い、検出されたピーク値を有する出力信号を得ることができる。
このイメージ電圧Ｖｉのピーク値と、基準電圧Ｖｒｅｆとを比較することができるように、増幅器ＡＶによって、イメージ電圧Ｖｉを増幅することができる。実際、測定抵抗Ｒｓｐの値が低い場合には、得られるイメージ電圧Ｖｉのピーク値も低い（非限定的な一例において、１Ｖ未満である）。
【０１４３】
上述の２つの変形実施例について、すなわち、ピーク検出についてのより完全な詳細については、第３の実施形態に関する説明において言及する。
【０１４４】
第３の変形実施例において、アンテナＴＸのインダクタと外部インダクタとを結合させることができ、変圧器効果によって誘起された電流から、イメージ電圧を導き出すことができる。
【０１４５】
特性ｃ）に関しては、低周波信号ＢＦの放射中、存在検出装置ＣＡＰＴへの電力供給を維持するために、共振電圧ＶｂＦが用いられる。
非限定的な一例において、この電力供給は、図７および図８に示すように、単一のダイオードＤ４を介して行われる。
非限定的な一実施例において、このダイオードＤ４は、さらに、第１の抵抗Ｒ１とともに抵抗性の分割器ブリッジを形成している抵抗Ｒ４と組み合わされている。
低周波信号ＢＦの放射中、パルス信号化された入力電圧Ｖｉｎの正の半波期間に、入力キャパシタＣ２は充電される。このパルス信号化された入力電圧Ｖｉｎは、存在検出装置ＣＡＰＴに電力を供給する。
パルス信号化された入力電圧Ｖｉｎの負の半波期間に、ダイオードＤ４は逆方向接続になり（遮断状態になり）、したがって、入力キャパシタＣ２からアンテナＴＸへの放電が防止される。したがって、入力キャパシタＣ２は、常に、存在検出装置ＣＡＰＴに、具体的には、保存装置ＬＯＧＩＣおよび機能停止手段ＩＮＨに電力を供給することができる。
したがって、正の半波期間に、入力キャパシタＣ２は、共振電圧ＶｂＦによって充電され続ける。
ダイオードＤ４および抵抗Ｒ４と、第１の抵抗Ｒ１との組み合わせは、パルス信号化された入力電圧Ｖｉｎの正の半波期間における入力キャパシタＣ２の充電が、正および負の半波期間における入力キャパシタＣ２の放電より急速になされるように決められることは理解しうると思う。
したがって、存在検出装置ＣＡＰＴへの電力供給は維持される。
【０１４６】
特性ｄ）に関しては、低周波信号ＢＦの放射が、低周波検出素子ＣＭＰによって検出されるとすぐに、機能停止手段ＩＮＨが、電流発生器ＧＡ／ＧＢを機能停止させる。
前述のように、非限定的な例において、機能停止手段ＩＮＨは、次のいずれかである。
−  機能停止手段ＩＮＨは、作動している電流発生器（この場合には電流発生器ＧＡ）に対応する、存在検出装置ＣＡＰＴの電流出力を停止させる（出力状態を０にする）制御集積回路である。
−  機能停止手段ＩＮＨは、電流発生器ＧＡに対する制御手段を接地し、したがって、作動している電流発生器（この場合には電流発生器ＧＡ）への電力供給を断つトランジスタＴＲ２であってもよい。
第１の実施形態において前述したように、これらの機能停止手段によって、存在検出装置ＣＡＰＴ、より詳細には保存装置ＬＯＧＩＣがリセットされること、したがって、以前に保存した基準レベルの値を失うことを防止することができる。
【０１４７】
さらに、機能停止手段ＩＮＨは、低周波信号ＢＦの放射が、存在検出装置ＣＡＰＴ（この例においては、前述のように、共振電圧ＶｂＦによって電力を供給される）の側のいかなる電力消費によっても、また次のような原因によっても妨害されないようにする。
機能停止手段ＩＮＨが備わっていないと、低周波信号ＢＦの放射中、ユーザの手がノブに差し伸べられており、その結果、検出部材ＥＡがアクティブになっていると、（ＩA＋Ｉidle）に等しい共通電流ＩPSUが発生するために、検出部材ＥＡの保存装置ＬＯＧＩＣが、ユーザの手を検出する。
【０１４８】
入力電圧Ｖｉｎが、０Ｖ／＋１２Ｖ（正の半波＝パルス信号化された入力電圧Ｖｉｎの第１の相）のときに、電流発生器ＧＡは、発生器出力電流ＩAを発生させる（第１のダイオードＤ１は、導通状態にある）。
しかしながら、入力電圧Ｖｉｎが、−１２Ｖ／０Ｖ（負の半波＝パルス信号化された入力電圧Ｖｉｎの第２の相）のときに、電流発生器ＧＡは、発生器出力電流ＩAを発生させない（第１のダイオードＤ１は、遮断状態にある）。
前述のように、共通電流ＩPSUは、センサ電流Icaptとアンテナ電流ＩTXとに分割される。
したがって、低周波信号ＢＦが放射されていない状態で、存在検出装置ＣＡＰＴが作動しているときには、共通電流ＩPSUは、（ＩPSU＝Ｉcapt）で与えられる。
しかしながら、低周波信号ＢＦが放射されている状態で、存在検出装置ＣＡＰＴが作動しているときには、共通電流ＩPSUは、（ＩPSU＝Ｉcapt＋ＩTX）で与えられる。存在検出装置ＣＡＰＴに、共振電圧ＶｂＦから電力が供給されるために、このようなことが起こることに注意されたい。
したがって、負の半波期間（第１のダイオードＤ１は遮断状態にある)においては、Ｉcapt＝０であり、正の半波期間（第１のダイオードＤ１は導通状態にある)においては、Ｉcapt＝（ＩA＋Ｉidle）または（ＩB＋Ｉidle）または（ＩA＋ＩB＋Ｉidle）である。
この共通電流ＩPSUは、低周波信号ＢＦの放射中、アンテナＴＸによって消費される。
存在検出装置ＣＡＰＴも、パルス信号化された入力電圧Ｖｉｎの正の半波期間に、共通電流の一部（すなわちセンサ電流Icapt）を消費するから、その半波期間においては、アンテナＴＸを流れる電流は少なくなり、その結果、アンテナＴＸの端子に発生する共振信号は歪む。
したがって、正の半波期間には歪んだ信号が発生し、負の半波期間には正常な信号が発生する。その結果、歪んだ共振信号が生成される。
【０１４９】
この共振信号は、ユーザによって保持されている識別オブジェクトとの通信を可能にする電磁場を発生させるために用いられる。したがって、この通信は損なわれるか、または失われ、および／または、共振信号によって発生する電磁場の範囲が縮小される。
したがって、電流発生器ＧＡ／ＧＢ（または、この例においては、作動している電流発生器ＧＡ）を機能停止させることによって、アンテナＴＸによって消費されるべき共通電流を、存在検出装置ＣＡＰＴが消費することを防ぐことができる。したがって、共振信号は歪まず、低周波信号ＢＦの放射は妨害されない。
【０１５０】
この第２の実施形態において、低周波信号ＢＦの放射の前に測定された基準レベルＲＥＦの値の、低周波信号ＢＦの放射中の保存は、少なくとも低周波信号ＢＦの放射の終了時点まで、また少なくとも共振電圧ＶｂＦがもはや検出されなくなるまで持続されることは理解しうると思う。
【０１５１】
実際には、低周波信号ＢＦの放射の終了時点とは、次のことを意味している。
−  フィルタＲＣのキャパシタが放電し、その結果、
−  基準電圧Ｖｒｅｆを供給するトランジスタＴＲ１が遮断状態になる。
したがって、低周波信号ＢＦの放射の終了後に、物理量ＣＥからの基準レベルＲＥＦの自己適応が再認可される。
低周波信号ＢＦの放射の終了後に、自己適応が再び実行され、第１の実施形態において前述したように、次のいずれかのときに、基準レベルＲＥＦの新しい値が保存される。
−  ユーザの手が、もはや存在しなくなったとき。
−  タイムアウトＴＩＭＥＯＵＴが発生したとき。
【０１５２】
したがって、この第２の実施形態は、次の利点を有している。
−  低周波信号ＢＦの放射中でさえ、存在検出装置ＣＡＰＴは、きちんと電力を供給され続ける。したがって、存在検出装置ＣＡＰＴは、手などの物体の存在を検出し続けることができる。
−  存在検出装置ＣＡＰＴは、容量性である場合にも、低周波信号ＢＦの放射によって妨害されない。
−  低周波信号ＢＦの放射の前に、電極セットである検出部材ＥＡ／ＥＢに接近してきて、低周波信号ＢＦの放射の終了後も、そこに置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存するから）。
−  低周波信号ＢＦの放射中に、電極セットである検出部材ＥＡ／ＥＢに接近してきて、低周波信号ＢＦの放射の終了後も、その近傍に置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存し、放射中にも保存し続けるから）。
−  電流発生器（作動していた）を機能停止させるから、低周波信号ＢＦの放射が、存在検出装置ＣＡＰＴによる電流消費によって妨害されることはない。
【０１５３】
第３の実施形態
存在検出装置ＣＡＰＴの第３の実施形態が、図９に示されている。
この第３の実施形態によれば、存在検出装置ＣＡＰＴは、第１および第２の実施形態の場合と同様に、次のものを備えている。
−  電圧レギュレータＲＥＧへの電圧を一定値以下に抑えて、過電圧を防止するためのツェナーダイオードＺ。
−  存在検出装置ＣＡＰＴに電力が供給されているとき、入力電圧Ｖｉｎに過電圧が発生した際に、ツェナーダイオードＺおよび入力キャパシタＣ２に流れる電流を制限するための第１の抵抗Ｒ１。
−  供給電流の反転から電圧レギュレータＲＥＧを保護するために、電圧レギュレータＲＥＧに直列に接続された第１のダイオードＤ１。
【０１５４】
この第３の実施形態によれば、存在検出装置ＣＡＰＴは、さらに、次の特徴を有している。
−  ａ）存在検出装置ＣＡＰＴは、アンテナＴＸと共通の電源から電力を供給される。
−  ｂ）低周波信号ＢＦの放射の開始を検出するための低周波検出素子ＣＭＰは、低周波信号ＢＦの放射を表わすパルス信号化された入力信号を検出する。
−  ｃ）低周波信号ＢＦの放射が検出されるとすぐに、機能停止手段ＩＮＨは、電流発生器ＧＡ／ＧＢを機能停止させる。
【０１５５】
特性ｃ）に関しては、上述の第２の実施形態に関する説明が、そのまま当てはまる。
【０１５６】
特性ｂ）に関しては、非限定的な一変形実施例において、パルス信号化された入力信号は、入力電圧Ｖｉｎである。したがって、低周波信号ＢＦの放射の開始を検出するために、入力電圧Ｖｉｎが、連続電圧（この例においては＋１２Ｖの）から、パルス信号化された電圧（この例においては−１２Ｖ／０Ｖ／＋１２Ｖの）に変化する瞬間を特定するための探索がなされる。実際、上述のように、低周波信号ＢＦの放射中、入力電圧Ｖｉｎはパルス信号化されている。
【０１５７】
実際には、要約すると、パルス信号化された入力電圧Ｖｉｎを直接検出するために、低周波検出素子ＣＭＰは、存在検出装置ＣＡＰＴに電力を供給している入力電圧Ｖｉｎと、基準電圧Ｖｒｅｆ２とを比較することができる。これによって、低周波信号ＢＦの放射が検出される。したがって、入力電圧Ｖｉｎに対して、ピーク検出が行われる。ピーク検出結果電圧と基準電圧Ｖｒｅｆ２とを比較することによって、ピーク検出結果電圧が、基準電圧Ｖｒｅｆ２より大きければ、この信号はパルス信号化されており、したがって、低周波信号ＢＦが放射されているという特定がなされる。
【０１５８】
これをなすために、非限定的な一実施例において、低周波信号ＢＦの放射の開始を検出するための低周波検出素子ＣＭＰは、図１０に示すように、次のものを備えている。
−  第２のダイオードＤ２。
−  抵抗Ｒ４とキャパシタＣ５から成るフィルタ（以後、フィルタＲ４Ｃ５と言う）と組み合わされた第３のダイオードＤ３。
−  フィルタＲ４Ｃ５。
−  第５の抵抗Ｒ９。
−  基準電圧Ｖｒｅｆ２（非限定的な一例において３Ｖの）を供給するトランジスタＴＲ１。
【０１５９】
これらの素子について、次に、詳細に説明する。
【０１６０】
−  第３のダイオードＤ３によって、パルス信号化された入力電圧Ｖｉｎから負側の成分を取り除くことができる。図１１に概略的に示されている第１の出力信号Ｓ１が得られる。この第１の出力信号Ｓ１は、ピーク検出器の入力信号とも呼ばれる。
【０１６１】
−  第２のダイオードＤ２と、キャパシタＣ５とを組み合わせることによって、整流された第１の出力信号Ｓ１のピーク検出を行い、検出されたピーク値を有する第２の出力信号Ｓ２を得ることができる。したがって、これらの２つの部品は、ピーク検出器（以下、ピーク検出器Ｄ２Ｃ５と言う）を形成している。
【０１６２】
実際、パルス信号化された入力電圧Ｖｉｎの正の半波（第１の出力信号Ｓ１の正の）期間中、フィルタＲ４Ｃ５のキャパシタＣ５は、第２のダイオードＤ２および抵抗Ｒ４を介して充電される。キャパシタＣ５を完全に充電するためには、時定数ＣＴ４５に応じて、いくつかの正の半波期間が必要であることは理解しうると思う。
さらに、第２のダイオードＤ２によって、キャパシタＣ５の放電が防がれることも理解しうると思う。
さらに、キャパシタＣ５の充電電圧Ｖｃｈ５が、トランジスタＴＲ１のスイッチング閾電圧（基準電圧Ｖｒｅｆ２を与える）より大きいときには、電流発生器への電力供給を断つことができることは理解しうると思う。したがって、前述のように、このことによって、第２のキャパシタＣ１に蓄えられた電気エネルギーの使用が避けられ、したがって、存在検出装置ＣＡＰＴの保存装置ＬＯＧＩＣのリセットが避けられる。
【０１６３】
−  第２のダイオードＤ２が遮断状態にあるとき、第５の抵抗Ｒ９の存在によって、キャパシタＣ５は放電することができる。この第５の抵抗Ｒ９の抵抗値は、キャパシタＣ５の放電が、その充電よりゆっくりと行われるように決められる。したがって、非限定的な一実施例において、抵抗Ｒ４(キャパシタＣ５の充電を可能にする）に対する、この第５の抵抗Ｒ９の比は１０〜２０であり、第５の抵抗Ｒ９が抵抗Ｒ４より大きい。このようにすることによって、いかなる低周波信号ＢＦの放射ももはやなくなったときに、キャパシタＣ５を完全に放電させることができる。したがって、これによって、検出機能（電流発生器ＧＡ／ＧＢの作動を伴う）すなわちセンサ機能を再び働かせるために、電流発生器ＧＡ／ＧＢの機能停止を作動させないようにすることができる。
この第５の抵抗Ｒ９がなければ、キャパシタＣ５は放電することができず、したがって、電流発生器の機能停止を作動させないようにすることはできない。
【０１６４】
したがって、低周波信号ＢＦの放射中、フィルタＲ４Ｃ５の出力において、図１１に概略的に示されている第２の出力信号Ｓ２が得られる。この第２の出力信号Ｓ２は、パルス信号化された入力電圧Ｖｉｎの最大振幅を表わす電圧である。したがって、この第２の出力信号Ｓ２（キャパシタＣ５の充電および放電に対応する）は、低周波信号ＢＦが放射されていることを表わす信号である。
【０１６５】
キャパシタＣ５の端子間電圧は、低周波信号ＢＦの放射中に、定常状態になる。第２の出力信号Ｓ２の安定化後、この例においては、図１１に示されている時刻ｔ４以後、第２の出力信号Ｓ２からピーク値が抽出され、それらのピーク値が、基準電圧Ｖｒｅｆ２と比較される。ピーク値が基準電圧Ｖｒｅｆ２の値より大きければ、入力電圧Ｖｉｎはパルス信号化されており、したがって、低周波信号ＢＦが放射されていると推定することができる。この第２の出力信号Ｓ２は、以下において、出力電圧ＵR9とも呼ばれる（図１０に示されているように）。
【０１６６】
−  トランジスタＴＲ１は、次のことを行うことができる。
・  ピーク検出のために、基準電圧Ｖｒｅｆ２を供給する。
・  作動している電流発生器ＧＡ／ＧＢを接地することによって、それらを機能停止させる。
【０１６７】
したがって、２つの機能に対して、単一の部品が用いられている。
機能停止動作の場合には、充電電圧Ｖｃｈ５が、スイッチング閾電圧（基準電圧Ｖｒｅｆ２に等しい）より大きくなると、トランジスタＴＲ１は導通する（スイッチングする）。このとき、作動していた電流発生器（この例では電流発生器ＧＡ）は停止する（その電圧が０になる）。いかなる発生器出力電流ＩAももはや流れない。したがって、電流発生器ＧＡは機能停止する。
このように、低周波信号ＢＦが検出されるとすぐに、作動していた電流発生器は機能停止する。
【０１６８】
別の一実施例において、機能停止動作を行なうために、トランジスタＴＲ１とは異なる別のトランジスタを用いることもできることは明らかである。
さらに別の一実施例において、第１および第２の実施形態において前述したように、論理的に機能停止を行なうことも可能である。
【０１６９】
−  第２のダイオードＤ２およびキャパシタＣ５によって、上述のように、ピーク検出を行なうことができる。
【０１７０】
フィルタＲ４Ｃ５の時定数ＣＴ４５は、低周波信号ＢＦの放射が始まったときに、迅速なピーク検出が可能になるように定められる。それによって、キャパシタＣ５の急速な充電が可能になり、その結果、トランジスタＴＲ１の導通状態（０状態）への迅速なスイッチング、したがって低周波信号ＢＦの放射の迅速な検出を得ることができる。
さらに、パルス信号化された入力電圧Ｖｉｎは、例えば自動車の周囲環境、ノイズ、電磁結合、車内電気機器などに起因するスプリアスな電圧ピークを含んでいる場合があることは理解しうると思う。
これらのスプリアスな電圧ピークのために、キャパシタＣ５の充電電圧Ｖｃｈ５が上昇し、その結果、前述のようなトランジスタＴＲ１のスイッチング、および作動している電流発生器（この例においては電流発生器ＧＡ）の機能停止が生じる場合がある。
そのような外乱を防止するために、非限定的な一実施例において、フィルタＲ４Ｃ５の時定数ＣＴ４５は、さらに、キャパシタＣ５のあまりにも急速な充電を避けるように、したがって、パルス信号化された入力電圧Ｖｉｎ上のスプリアスな電圧ピークを取り込まないように定められる。
【０１７１】
したがって、時定数ＣＴ４５は、低周波信号ＢＦの放射を迅速に検出するために、キャパシタＣ５を急速に充電するように、しかしながら、スプリアスな電圧ピークの影響を防ぎ、したがってトランジスタＴＲ１の不時のスイッチングを防止するために、急速に充電しすぎないように、バランスをとって定められる。非限定的な一例において、この時定数ＣＴ４５は、周期ＴBFの１〜２倍に等しく定められることは理解しうると思う。
【０１７２】
キャパシタＣ５の値が低すぎると、キャパシタＣ５は、非常に急速に充放電されることは理解しうると思う。これによって、出力電圧ＵR9にノイズがもたらされる（出力電圧ＵR9が変動する）。
さらに、キャパシタＣ５の値を低くするということは、出力電圧ＵR9がより低くなるということを意味する。
【０１７３】
出力電圧ＵR9が低くなり、またノイズが導入されることによって、低周波信号ＢＦの放射中に、トランジスタＴＲ１のスイッチング閾電圧未満への、出力電圧ＵR9の危険な低下によって、トランジスタＴＲ１の不時のスイッチングが発生する危険性が生じる。したがって、キャパシタＣ５の大きさは、低周波信号ＢＦの放射の検出に影響を及ぼす。
さらに、キャパシタＣ５の値が小さい場合には、ピーク検出器の出力電圧ＵR9とピーク検出器の入力電圧すなわち第１の出力信号Ｓ１とにほとんど差がない。したがって、存在検出装置への電力の再供給がなされるとき、存在検出装置に電力を再供給するための、入力電圧Ｖｉｎの切り替え（再び連続的になるように）は、ピーク検出器の入力電圧（第１の出力信号Ｓ１）に反映され、次いで出力電圧ＵR9に反映される。したがって、入力電圧Ｖｉｎの切り替え中に、出力電圧ＵR9に、ピーク電圧が観測される可能性がある。したがって、出力電圧ＵR9が、再び、トランジスタＴＲ１のスイッチング閾電圧を超過するという危険性がある。これは、存在検出装置に電力を再供給するときには望ましくないことである。したがって、キャパシタＣ５の大きさは、センサ機能の耐性に影響を及ぼす。
【０１７４】
さらに、キャパシタＣ５の値が大きすぎる（後述する第４のキャパシタＣ６と比較して）場合には、キャパシタＣ５の充電時間および放電時間が非常に長くなることは理解されるであろう。ピーク検出器の入力電圧すなわち第１の出力信号Ｓ１の変動は取り除かれて、出力電圧ＵR9に、全くまたはほとんど反映されない。したがって、出力電圧ＵR9に、ノイズはほとんどない。しかしながら、キャパシタＣ５の放電時間が長くなるほど、トランジスタＴＲ１の遮断状態への復帰時間ｔｎ２は、より増加する。この復帰時間ｔｎ２は、低周波信号の放射の終了時点から、センサ機能の作動回復までの回復時間に相当する。この復帰時間ｔｎ２が長くなるほど、低周波信号の放射の終了後に、センサ機能は、作動し難くなる。実際、この復帰時間ｔｎ２中、トランジスタＴＲ１は依然として導通しており（０状態）、したがって、存在検出装置への電力供給を阻んでいるから、存在検出装置に電力を再供給することはできない。
さらに、キャパシタＣ５の充電時間が長くなるほど、低周波信号の放射の検出には、より時間がかかるようになる。
実際、キャパシタＣ５の値が大きくなるほど、出力電圧ＵR9と、トランジスタＴＲ１のスイッチング閾電圧との間の比較には、より時間を要するようになる。実際、キャパシタＣ５の値が大きくなるほど、入力電圧Ｖｉｎの変化（低周波信号の放射中の）の、出力電圧ＵR9への反映には、より時間がかかるようになる。
したがって、低周波信号の放射の検出には、より時間がかかるようになる（低周波信号の放射は、出力電圧ＵR9が、トランジスタＴＲ１のスイッチング閾電圧より大きくなることによって特定される）。したがって、低周波信号の放射の特定までにできる遅れ時間ｔｎ１は、より長くなる。
【０１７５】
結論として、キャパシタＣ５の値は、センサ機能の耐性および低周波信号の放射の検出に影響を及ぼすから、出力電圧ＵR9上のノイズと、センサ機能の作動回復までの最小の復帰時間ｔｎ２と、低周波信号の放射の検出までの最小の遅れ時間ｔｎ１との間で適切な妥協点を見出すように、キャパシタＣ５の値を決めることが重要である。
非限定的な一実施例において、復帰時間ｔｎ２はミリ秒で数えられ、他方、遅れ時間ｔｎ１はマイクロ秒で数えられる。
非限定的な一例において、復帰時間ｔｎ２は１２ミリ秒以下である。この値を超過すると、ユーザがノブを押し付けているときに何も起こらなくなる、または、長い押し付けの終わったことが検出されなくなる危険性が非常に大きくなる。
別の一実施例において、復帰時間ｔｎ２は２ミリ秒である。これによって、電気エネルギーの消費を減らすことができる。
非限定的な一例において、遅れ時間ｔｎ１は１２８マイクロ秒である。これによって、低周波信号ＢＦの放射の最初のビットを検出することができる。
−  電圧分割器ブリッジを形成している第５の抵抗Ｒ９と抵抗Ｒ４との比Ｒ９／Ｒ４の値は、低周波信号ＢＦの放射中における、ピーク検出器Ｄ２Ｃ５の出力電圧ＵR9の平均値に影響を及ぼす。
比Ｒ９／Ｒ４の値が大きいほど、ピーク検出器Ｄ２Ｃ５の出力電圧ＵR9は、より高くなる。それによって、トランジスタＴＲ１の良好なスイッチングが可能になる（出力電圧ＵR9は、トランジスタＴＲ１のスイッチング閾電圧である基準電圧Ｖｒｅｆ２よりずっと大きくなる）。すなわち、トランジスタＴＲ１の１状態と０状態が、互いに明確に出現する。
比Ｒ９／Ｒ４の値を大きくするために、抵抗Ｒ４の値を小さくすることができる。
しかしながら、抵抗Ｒ４の値が小さすぎると、フィルタＲ４Ｃ５の時定数ＣＴ４５が小さくなり、したがって、キャパシタＣ５の急速な充電および放電が発生する。したがって、出力電圧ＵR9にノイズが生じる。このノイズによって、出力電圧ＵR9が、トランジスタＴＲ１のスイッチング閾電圧をよぎる可能性がある。
【０１７６】
同様に、第５の抵抗Ｒ９の値、したがって比Ｒ９／Ｒ４の値が小さすぎると、出力電圧ＵR9にノイズが発生する場合があり、また出力電圧ＵR9が、トランジスタＴＲ１のスイッチング閾電圧に比して低すぎるようになる。
【０１７７】
このノイズを減少させるために、抵抗Ｒ４の値を増やし、かつ第５の抵抗Ｒ９の値を増やすことができる。
しかしながら、比Ｒ９／Ｒ４の大きさは、また、存在検出装置ＣＡＰＴに電力が再供給されたとき（電力の再供給によって、センサ機能が作動可能にされる）、検出回路ＤＥＴＥＣＴ（図１０参照）の耐性に影響を及ぼす。実際、比Ｒ９／Ｒ４の値が大きくなるほど、トランジスタＴＲ１の遮断状態への復帰時間ｔｎ２は、より長くなる。この復帰時間ｔｎ２は、低周波信号の放射の終了時点から、センサ機能の作動回復までの間の回復時間に相当する。
この復帰時間ｔｎ２が長くなるほど、低周波信号の放射の終了後に、センサ機能が作動しにくくなる。実際、この復帰時間ｔｎ２の間、トランジスタＴＲ１は依然として導通しており（０状態）、したがって、存在検出装置ＣＡＰＴへの電力供給を阻んでいるから、存在検出装置ＣＡＰＴに電力を再供給することは不可能である。
【０１７８】
結論として、比Ｒ９／Ｒ４の値は、センサ機能の回復までの復帰時間ｔｎ２と、出力電圧ＵR9上のノイズとの両方に影響を及ぼすから、センサ機能を再度呼び出すために適切な回復時間と、トランジスタＴＲ１の再スイッチングを発生させる危険性のない十分に低いノイズとの間で適切な妥協点を見出すように、比Ｒ９／Ｒ４の値を調整することが重要である。
【０１７９】
非限定的な一実施例において、低周波信号ＢＦの放射の開始を検出するための低周波検出素子ＣＭＰは、さらに、図１０に示すように、第４のキャパシタＣ６を備えている。
−  低周波信号ＢＦの放射の終了時点からの遷移期間に、入力電圧Ｖｉｎが再び連続的になり、存在検出装置ＣＡＰＴに、連続モードで電力を再供給するとき、入力電圧Ｖｉｎは、この例においては０Ｖから１２Ｖに戻る。
このとき、０Ｖから１２Ｖへの遷移によって、キャパシタＣ５が充電される。この充電によって、前述のように、作動している電流発生器ＧＡの機能停止が生じる可能性がある。したがって、この機能停止を避けること、すなわち、そのような遷移期間中に、キャパシタＣ５の充電電圧Ｖｃｈ５が、トランジスタＴＲ１のスイッチング閾電圧である基準電圧Ｖｒｅｆ２より大きくなることを避けることが重要である。
【０１８０】
比Ｒ９／Ｒ４の値とともに、比Ｃ６／Ｃ５の値が、この問題を解決して、上述の妥協点を得るために考慮される。
【０１８１】
この第４のキャパシタＣ６は、ピーク検出器Ｄ２Ｃ５の入力電圧（第１の出力信号Ｓ１）の平均値、したがって、その出力電圧ＵR9に影響を及ぼす。
第４のキャパシタＣ６の値が大きいほど、第１の出力信号Ｓ１の平均値がより大きくなり、出力電圧ＵR9のピーク値がより大きくなり、したがって、前述のように、トランジスタＴＲ１のスイッチングはより良好に行われる(トランジスタＴＲ１の１状態と０状態とが、互いに明確に出現する)。
さらに、出力電圧ＵR9と、トランジスタＴＲ１のスイッチング閾電圧との比較が迅速になる。実際、第４のキャパシタＣ６の値が大きいほど、入力電圧Ｖｉｎの変化（低周波信号の放射中の）は、より迅速に、出力電圧ＵR9に反映される。
したがって、低周波信号の放射の検出は、より速くなる（低周波信号の放射は、出力電圧ＵR9が、トランジスタＴＲ１のスイッチング閾電圧より大きくなることによって特定される）。したがって、低周波信号の放射の特定までに存在する遅れ時間ｔｎ１は、より短くなる。
【０１８２】
しかしながら、第４のキャパシタＣ６の値が大きいほど、存在検出装置ＣＡＰＴに電力が再供給されたときの検出回路ＤＥＴＥＣＴの感度がより高くなる。実際、存在検出装置ＣＡＰＴへの電力の再供給は、入力電圧Ｖｉｎの切り替え(その結果、再び連続的になる)によって行なわれる。入力電圧Ｖｉｎの切り替えは、出力電圧ＵR9に電圧ピークを発生させる。
出力電圧ＵR9のピーク値が大きい（第４のキャパシタＣ６の値が大きいために）ほど、トランジスタＴＲ１の望ましくないスイッチングが引き起こされる可能性が、より高くなる。したがって、トランジスタＴＲ１が再び導通する（０状態になる）危険性が、より高くなる。これらの望ましくないスイッチングは、存在検出装置ＣＡＰＴへの電力の再供給を阻む。
【０１８３】
結論として、第４のキャパシタＣ６の値は、低周波信号の放射の検出の遅れ時間ｔｎ１と、センサ機能の耐性（トランジスタＴＲ１の望ましくないスイッチングが生じる危険性に対する）との両方に影響を及ぼすから、検出の適切な遅れ時間と、存在検出装置ＣＡＰＴへの電力の信頼性の高い再供給との間で適切な妥協点が見出されるように、第４のキャパシタＣ６の値を調整することが重要である。
そうすると、検出回路ＤＥＴＥＣＴが存在検出装置ＣＡＰＴの働きを乱すことなく、検出機能が再開する。
したがって、この第４のキャパシタＣ６は、存在検出装置ＣＡＰＴの機能の再開（オン状態への復帰）の際の過渡的現象に対する、より大きな強健さを与える。
【０１８４】
第５の抵抗Ｒ９（したがって比Ｒ９／Ｒ４）の値を大きくすれば、第４のキャパシタＣ６（したがって比Ｃ６／Ｃ５）の値を小さくすることができることは理解しうると思う。これによって、ピーク検出器Ｄ２Ｃ５の出力電圧ＵR9に対しても、センサ機能の作動復帰までの復帰時間ｔｎ２に対しても何ら不都合をもたらすことなく、存在検出装置ＣＡＰＴに電力が再供給されるときの検出回路ＤＥＴＥＣＴの耐性を強くすることができる。
【０１８５】
したがって、２つの比Ｒ９／Ｒ４とＣ６／Ｃ５との値の間で、妥協点が得られる。
【０１８６】
次の２つの表（表１、表２）は、遅れ時間ｔｎ１、復帰時間ｔｎ２、出力電圧ＵR9、およびセンサ機能の耐性に対する上述の部品（抵抗Ｒ４、第５の抵抗Ｒ９、第４のキャパシタＣ６、およびキャパシタＣ５）の影響を要約している。
【表１】
0005819608.tif 000002
【表２】
0005819608.tif 000003
【０１８７】
非限定的な一実施例において、これらの部品は、入力電圧Ｖｉｎの励振周波数（入力電圧Ｖｉｎは、アンテナＴＸのための励振電圧として働き、その励振周波数は、この例においては１２５ｋＨｚである）で作動するように設計されていることは理解しうると思う。これによって、これらの部品によるスプリアスなノイズの検出が防止され、またアンテナＴＸの励振によって生じる信号、すなわちアンテナＴＸによる低周波信号の放射を正しく検出することができる。
【０１８８】
図１２の各グラフは、この第３の実施形態による存在検出装置ＣＡＰＴの動作を、より詳細に示している。
【０１８９】
−  図１２の例の時刻ｔ０は、自動車Ｖの開口部のノブＰに差し伸べられている手が存在していない場合に相当する。第１の実施形態において前述した説明が、この例においても当てはまる。記述を簡明にするために、同じ説明を繰り返さない。したがって、第１の実施形態において前述した時刻ｔ０に関する説明を参照されたい。
【０１９０】
−  時刻ｔ１において、ユーザは、自分の手を、自動車Ｖの開口部のノブＰの内側に置く。第１の実施形態において前述した説明が、この場合にも当てはまる。記述を簡明にするために、同じ説明を繰り返さない。したがって、第１の実施形態において前述した時刻ｔ１に関する説明を参照されたい。
【０１９１】
−  ノブＰに差し伸べられているユーザの手の存在の検出に続いて、時刻ｔ２において、アンテナＴＸが低周波信号ＢＦを放射することができるように、アンテナＴＸに電力を供給するために、入力電圧Ｖｉｎがパルス信号化される。この例は、手の検出によって、低周波信号ＢＦの放射が引き起こされる例を示している。同じ原理を、「ポーリング」手法の場合にも当てはめることができることは明らかである。
したがって、入力電圧Ｖｉｎは、アンテナＴＸによる低周波信号ＢＦの放射が開始されるまでの時間に等しい、時刻ｔ２〜ｔ３の時間間隔の間、０まで低下している。
したがって、存在検出装置ＣＡＰＴに対する連続電力供給は断たれる。
存在検出装置ＣＡＰＴに対する連続電力供給が断たれると、存在検出装置ＣＡＰＴは、外部からの電気エネルギーの供給なしで、自立的に作動する。すなわち、存在検出装置ＣＡＰＴは、依然として、存在検出のための十分なエネルギーを有している。
入力キャパシタＣ２が、１番目のグラフに示されているように、放電し始める（その端子間電圧Ｖc2が徐々に減少し始める）。同様に、第２のキャパシタＣ１が、５番目のグラフに示すように、放電し始める（その端子間電圧Ｖｃ１が徐々に減少し始める）。
【０１９２】
−  手の存在の検出に続いて、時刻ｔ３において、自動車Ｖのユーザによって保持されている識別オブジェクトＩＤに応答指令信号を送り、その識別オブジェクトＩＤが確かにその自動車Ｖに対応していることをチェックし、それによって、自動車Ｖへのアクセスを可能にするために、アンテナＴＸから低周波信号ＢＦが放射される。それに応答して、識別オブジェクトＩＤは、その識別オブジェクトＩＤの識別を可能にする識別オブジェクトコード、および自動車へのその後のアクセスを可能にする認証を有効にする暗号データを含む、４３３ＭＨｚの一般的な周波数（限定するものではない）の無線周波数応答信号ＲＦを送る。
無線周波数応答信号ＲＦの返送は、ユーザが自動車の開口部を開くために、その開口部のノブＰを引く前になされることは理解しうると思う。
低周波信号ＢＦは、時刻ｔ３〜ｔ５の期間、通常、数マイクロ秒（概ね１２５ｋＨｚに相当する）の定められた周期ＴBFで放射される。他の周波数を用いることもできることは明らかである。
アンテナＴＸが、図１２の１番目のグラフに示されているように、パルス信号化された不連続電圧（この例においては、−１２Ｖ／０Ｖ／＋１２Ｖの）で動作しているから、このとき、入力電圧Ｖｉｎは、そのようなパルス電圧になっている。
【０１９３】
−  時刻ｔ４において、コンパレータである低周波検出素子ＣＭＰは、パルス信号化された入力電圧Ｖｉｎに基づいた、前述のピーク検出によって、低周波信号ＢＦの放射を検出する。低周波検出素子ＣＭＰの出力Ｓ＿ＣＭＰは、図１２の２番目のグラフに示されているように、１（オン状態）に設定される。
前述のように、検出までに、時定数ＣＴ４５によって決められる遅れ時間ｔｎ１（時刻ｔ３〜ｔ４の）があることは理解しうると思う。
【０１９４】
このように、低周波信号ＢＦの放射が検出されると、存在検出装置ＣＡＰＴの基準レベルＲＥＦの自己適応が、図１２の３番目のグラフＦＲＺ＿ＲＥＦに示されているように一時停止させられる（オン状態）。
検出部材ＥＡである電極セットの容量からの基準レベルＲＥＦの値が固定される。これは、メモリに保存されている基準レベルＲＥＦの最新値が、低周波信号ＢＦの放射の前に測定された基準レベルの値であることを意味する。
したがって、存在検出装置ＣＡＰＴの設定が、そのまま固定される。
【０１９５】
存在検出装置ＣＡＰＴが容量性の装置である場合には、存在検出装置ＣＡＰＴが、もはや入力電圧Ｖｉｎから連続的な電力供給を受けなくなっているとき、存在検出装置ＣＡＰＴが、十分に電力を使用し続けることができる（入力キャパシタＣ２および第２のキャパシタＣ１が、十分に充電されている）としても、すなわち、自立的に作動することができる（存在検出装置ＣＡＰＴが、依然として、ノブＰに差し伸べられている手の存在を検出することができる）としても、アンテナＴＸと容量性の存在検出装置ＣＡＰＴとの間のスプリアスな容量結合および／または誘導結合のために、低周波信号ＢＦの放射によって、存在検出装置ＣＡＰＴの動作が妨害されることは理解しうると思う。アンテナＴＸが、存在検出装置ＣＡＰＴの近傍にある（一般に、両者はともにノブ内にある）から、そのようなスプリアスな容量結合および／または誘導結合は、実際に発生する。これによって、存在検出装置ＣＡＰＴが自立的に作動しているとき、基準レベルＲＥＦに相当な変動が発生し得るし、さらに、自動車ＶのノブＰに差し伸べられているユーザの手の存在の検出漏れや誤検出が発生し得る。
検出漏れは、ノブＰに差し伸べられているユーザの手が存在しているときに、そのような手の存在を検出しないことであり、一方、誤検出は、ノブＰに差し伸べられているユーザの手が存在していないときに、そのような手の存在を検出することであることに注意されたい。
【０１９６】
したがって、低周波信号ＢＦの放射中、存在検出装置ＣＡＰＴの基準レベルＲＥＦの値を固定することによって、基準レベルＲＥＦの変動および手の存在の検出漏れ／誤検出を防止することができる。したがって、これによって、低周波信号ＢＦの放射によって発生する、容量性の存在検出装置ＣＡＰＴに対する妨害を最小にすることができる。
【０１９７】
存在検出装置ＣＡＰＴには、もはや入力電圧Ｖｉｎからの連続電力供給がなされないから、第２のキャパシタＣ１および入力キャパシタＣ２が放電しないように、存在検出装置ＣＡＰＴに、できるだけ電流を流さないようにすることが重要であることは理解しうると思う。実際、基準レベルＲＥＦの値を保存しておくことができるように、存在検出装置ＣＡＰＴを自立的に作動させておくことが望ましい。したがって、作動している電流発生器（この例においては電流発生器ＧＡ）が、もはや発生器出力電流ＩAを発生させることができなくなるように、機能停止させられる。そのような機能停止が、図１２の４番目のグラフＩＮＨ＿ＧＡに示されている（オン状態）。
この機能停止動作は、基準レベルＲＥＦの値が固定されている場合などの、低周波信号ＢＦの放射が検出されているときに実行される。
【０１９８】
さらに、存在検出装置ＣＡＰＴに、もはや連続電圧が供給されていないから、低周波信号の放射が乱されないように、電流発生器ＧＡ、ＧＢによる電流を流さないようにすることが重要である。実際、存在検出装置ＣＡＰＴに電流が流れると、センサ電流Ｉcaptが増加する。これによって、アンテナ電流ＩTXが減少する（共通電流ＩPSU＝Ｉcapt＋ＩTXであることに注意されたい）。アンテナ電流ＩTXが減少すると、アンテナの動作が乱される。したがって、これによって、低周波信号ＢＦによる通信に障害が発生し、および／またはアンテナの通信範囲が狭められる場合がある。したがって、自動車Ｖに対応する識別オブジェクトを識別するための識別オブジェクトコードが認識されなくなる危険性、および特に、自動車Ｖの施錠／解錠が不可能になる危険性が発生する。電流発生器の機能停止によって、このアンテナＴＸの動作妨害問題を回避することができる。
【０１９９】
電流発生器を機能停止させるために、第１および第２の実施形態において前述した２つの変形実施例（論理的に、またはトランジスタによって）を用いることができる。
したがって、電流発生器ＧＡの機能停止によって、共通電流ＩPSUは、図１２の７番目のグラフに示されているように、時刻ｔ４において、スタンバイ電流Ｉidleだけと等しくなる。したがって、電流発生器ＧＡは、もはや作動しない。
【０２００】
このような機能停止によって、いかなる連続的な入力電圧Ｖｉｎももはや存在していないときに、第２のキャパシタＣ１および入力キャパシタＣ２の過度の放電が防止される。
図１２の５番目のグラフに示されているように、時刻ｔ４の時点から、第２のキャパシタＣ１は、放電しないことが認識される。実際、第２のキャパシタＣ１は、それ自体で放電するほどに十分に放電しない（入力キャパシタＣ２は、それでも、図１２の１番目のグラフに示されているように、それよりわずかに多く放電するかもしれないが、それは、保存装置ＬＯＧＩＣおよび電圧レギュレータＲＥＧがそれ自体の作動のために必要な若干のエネルギーを消費するという事実によるものであって、電流発生器ＧＡに電流を供給するためではない）。さらには、入力キャパシタＣ２は、アンテナ励振電圧として用いられている入力電圧Ｖｉｎによって若干充電される場合もある。
入力キャパシタＣ２は、放電したとしても、存在検出装置ＣＡＰＴがリセットされて、以前に保存された基準レベルＲＥＦの値を失うほどには十分に放電しない。
【０２０１】
−  時刻ｔ５において、アンテナＴＸが、低周波信号ＢＦの送信を終え、入力電圧Ｖｉｎによる存在検出装置ＣＡＰＴへの電力の再供給が可能になる。
【０２０２】
入力電圧Ｖｉｎは、図１２の１番目のグラフに示されているように、時刻ｔ５〜ｔ７の遷移期間の後、再び連続的になり、この例においては１２Ｖである。したがって、存在検出装置ＣＡＰＴに対する連続電力供給のいかなる中断ももはやなくなる。
コンパレータである低周波検出素子ＣＭＰの出力Ｓ＿ＣＭＰは、図１２の２番目のグラフに示されているように、第５の抵抗Ｒ９と組み合わされたキャパシタＣ５の放電時間に基づく復帰時間ｔｎ２の後に、時刻ｔ６において、再び、０（オフ状態）になる。
存在検出装置ＣＡＰＴに、電力が再供給されるから、第２のキャパシタＣ１および入力キャパシタＣ２は、図１２の５番目および１番目のグラフにそれぞれ示されているように、端子間電圧が最大電圧ＭＡＸおよび入力電圧Ｖｉｎに達するまで再充電される。
アンテナＴＸからの、いかなる低周波信号ＢＦの送信も、もはや存在しない場合には、遷移期間の後、次のことが可能である。
−  低周波信号ＢＦの放射の前に測定された基準レベルの、保存されている値を開放する、すなわち、再び自己適応（手が存在していないときに行われる）を可能にする。
−  機能停止していた電流発生器ＧＡ／ＧＢ（この例においては電流発生器ＧＡ）を再び作動させる。
【０２０３】
−  したがって、時刻ｔ６において、存在検出装置ＣＡＰＴは、図１２の第３のグラフＦＲＺ＿ＲＥＦに示されているように、再び、検出部材ＥＡを形成している電極セットに対応する基準レベルＲＥＦの自己適応（いかなる手も存在していない状態で行われる）を可能にする（オフ状態）。
時刻ｔ６において、依然として手が検出されている（図１２の６番目のグラフＤＥＴＥＣＴ＿ＥＡ）から、低周波信号ＢＦの放射の前に測定された基準レベルＲＥＦの値が、依然として保存されている値であることは理解しうると思う。実際、再び、手が存在しなくなったときに限り、自己適応が実行される。
【０２０４】
したがって、さらに、時刻ｔ６において、共通電流ＩPSUは、図１２の７番目のグラフに示されているように、再び、スタンバイ電流Ｉidleと、作動している電流発生器ＧＡを流れている発生器出力電流ＩAとの和に等しくなる。
【０２０５】
存在検出装置ＣＡＰＴが活動しているか否かを確認するために用いられる、自動車ＶのコントローラＥＣＵによる共通電流ＩPSUの測定によって、存在検出装置ＣＡＰＴが依然として活動していること、すなわち、入力電圧Ｖｉｎによって、存在検出装置ＣＡＰＴに電力が供給されているときに、ノブＰに差し伸べられている手が依然として存在していることを確認することができる。
したがって、自動車Ｖのユーザが、自分の手を、長時間、すなわち低周波信号ＢＦの放射期間を超過して、ノブＰの内側に（触れていようといまいと）、またはノブＰ上に（したがって触れながら）置いていたとしても、ユーザの手の存在は、依然として、存在検出装置ＣＡＰＴによって検出される。したがって、低周波信号ＢＦの放射の終了後においてもノブＰに差し伸べられている手の存在に関する情報の損失が防止される。このために、低周波信号ＢＦの放射の終了後にも持続しているノブへの手の差し伸べを検出する（「長期間支援」とも呼ばれる）ことによって、非限定的な例において、次のような助勢機能を作動させることができる。
−  ノブＰに差し伸べられていた手がもはやなくなるまで、自動車の窓を上げる。
−  幌付きオープンカーの幌をせり上げる。
−  自動車の警報器を作動させる。
−  自動車を極度に使用不能にする、すなわち、自動車のドアを施錠した後に、内側ノブを離脱させる（これによって、泥棒が、例えば窓を破った後に、内側ノブを用いて内側から自動車のドアを開けることを防止することができる）、等々。
非限定的な一例において、この「長期間支援」は３０秒間まで続いてもよい。
【０２０６】
−  時刻ｔ８において、第２のキャパシタＣ１および入力キャパシタＣ２は、図１２の５番目および１番目のグラフにそれぞれ示されているように、端子間電圧が最大電圧ＭＡＸおよび入力電圧Ｖｉｎに達するまで再充電される。
【０２０７】
−  時刻ｔ９において、自動車Ｖのユーザは、図１２の６番目のグラフＤＥＴＥＣＴ＿ＥＡに示されているように、自動車ＶのノブＰから、自分の手を遠ざける（オフ状態）。このとき、電流発生器ＧＡが作動しなくなる（オフ状態）から、もはや、発生器出力電流ＩAは流れない。共通電流ＩPSUは、スタンバイ電流Ｉidleのみと等しくなる。
自動車ＶのコントローラＥＣＵによる共通電流ＩPSUの測定によって、存在検出装置ＣＡＰＴがもはや活動していないこと、すなわち、対応するノブＰに差し伸べられている手は存在していないことを確認することができる。
【０２０８】
この第３の実施形態において、低周波信号ＢＦの放射の前に測定された基準レベルＲＥＦの値の、低周波信号ＢＦの放射中の保存は、少なくとも低周波信号ＢＦの放射の終了時点まで、また少なくともパルス信号化された入力電圧Ｖｉｎがもはやどのようにも検出されなくなるまで持続されることは理解しうると思う。
実際には、低周波信号ＢＦの放射の終了時点とは、次のことを意味している。
−  フィルタＲ４Ｃ５のキャパシタが放電し、その結果、
−  基準電圧Ｖｒｅｆ２を供給するトランジスタＴＲ１が遮断状態になる。
したがって、低周波信号ＢＦの放射の終了後に、物理量ＣＥからの基準レベルＲＥＦの自己適応が再認可される。
低周波信号ＢＦの放射の終了後に、自己適応が再び実行され、第１および第２の実施形態において前述したように、次のいずれかのときに、基準レベルＲＥＦの新しい値が保存される。
−  ユーザの手が、もはや存在しなくなったとき。
−  タイムアウトＴＩＭＥＯＵＴが発生したとき。
【０２０９】
したがって、この第３の実施形態は、特に次の利点を有している。
−  時定数ＣＴ４５を考慮してキャパシタＣ５の充電時間を制御することによって、低周波信号ＢＦの放射を検出するまでの遅れ時間を最小にすることができる。
−  第５の抵抗Ｒ９、キャパシタＣ５、および第４のキャパシタＣ６を考慮することによって、低周波信号ＢＦの放射の終了時点から最小の復帰時間で、存在検出装置ＣＡＰＴによる検出機能を再開させることができる。
−  時定数ＣＴ４５を考慮することによって、キャパシタＣ５の充電時に、過渡的なスプリアス信号による障害を避けることができる。
−  低周波信号ＢＦの放射の前に、電極セットである検出部材ＥＡ／ＥＢに接近してきて、低周波信号ＢＦの放射の終了後も、そこに置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存するから）。
−  低周波信号ＢＦの放射中に、電極セットである検出部材ＥＡ／ＥＢに接近してきて、低周波信号ＢＦの放射の終了後も、その近傍に置かれたままの、ユーザの手を、低周波信号ＢＦの放射の終了時点以後も検出し続けることができる（存在検出装置ＣＡＰＴが、低周波信号ＢＦの放射の前に測定された、存在検出装置ＣＡＰＴの全ての設定、特に基準レベルを、低周波信号ＢＦの放射の前に保存し、放射中にも保存し続けるから）。
−  電流発生器（作動していた）を機能停止させるから、低周波信号ＢＦの放射が、存在検出装置ＣＡＰＴによる電流消費によって妨害されることはない。
【０２１０】
他の実施形態
上述の３つの実施形態が非限定的なものであることは明白であり、以下のような別の実施形態も考えられる。
−  基準レベルＲＥＦは、第１の実施形態におけるように、存在検出装置ＣＡＰＴへの連続電力供給の中断が検出されるとすぐに固定されるが、自己適応の再認可は、第２または第３の実施形態におけるように、低周波信号の放射の終了時点でなされる。これと同じ原理を、電流発生器の機能停止／機能停止解除に適用することができる。
−  基準レベルＲＥＦは、第２または第３の実施形態におけるように、低周波信号の放射の開始が検出されるとすぐに固定されるが、自己適応の再認可は、第１の実施形態におけるように、存在検出装置ＣＡＰＴへの連続電力供給の中断の終了時点でなされる。これと同じ原理を、電流発生器の機能停止／機能停止解除に適用することができる。
−  第１の実施形態は、さらに、低周波信号の放射中、アンテナＴＸによって発生する共振電圧ＶｂＦによって、前述のように電力を供給される存在検出装置ＣＡＰＴを有している。
−  第３の実施形態は、さらに、低周波信号の放射中、アンテナＴＸによって発生する共振電圧ＶｂＦによって、前述のように電力を供給される存在検出装置ＣＡＰＴを有している。等々。
【０２１１】
したがって、本発明による存在検出装置ＣＡＰＴは、検出部材ＥＡ／ＥＢに伴っており、かつ検出部材ＥＡ／ＥＢが位置している周囲環境に応じて変化する物理量ＣＥを介して、物体Ｏの存在を検出するための、次のステップを含む方法を実行することができる。
−  物理量ＣＥから、可変であり、かつ物体Ｏの存在していない状態に対応する基準レベルＲＥＦを導出するステップと、
−  低周波信号ＢＦの放射中、低周波信号ＢＦの放射の前に測定された基準レベルＲＥＦの値を保存しているステップ。
【０２１２】
非限定的な一実施例において、この方法は、さらに、次のステップを含んでいる。
−  検出部材に伴う物理量を測定するステップと、
−  測定された物理量と、保存されている基準レベルの値とを比較するステップ。
【０２１３】
非限定的な一実施例において、この方法は、さらに、基準レベルの変更を一時停止させるステップを含んでいる。
【０２１４】
非限定的な一実施例において、この方法は、さらに、低周波信号の放射の終了後に保存動作を解除するステップを含んでいる。
【０２１５】
最後に、非限定的な一実施例において、基準レベルの変更の一時停止は、物体の存在が検出されるとすぐに、または低周波信号が放射されるとすぐに行われる。
【０２１６】
上述の検出方法は、マイクロプログラムされた「ソフトウェア」装置、ワイヤードロジック、および／または「ハードウェア」電子部品を用いて遂行することができることは理解しうると思う。
したがって、存在検出装置ＣＡＰＴは、マイクロプロセッサなどの情報処理ユニット、またはマイクロコントローラ、ＡＳＩＣ、コンピュータなどの処理ユニットによって実行することができ、かつ上述の方法を遂行することを可能にする１つ以上の命令列を有するコンピュータプログラム製品ＰＧを備えていてもよい。
そのようなコンピュータプログラム製品ＰＧは、ＲＯＭタイプの不揮発性の読み出し専用のメモリ、または、ＥＥＰＲＯＭまたはＦＬＡＳＨタイプの不揮発性の書き換え可能なメモリに書き込まれていてもよい。このコンピュータプログラム製品ＰＧは、製造所においてメモリに書き込まれていてもよいし、メモリにロードされてもよいし、またはメモリにダウンロードされてもよい。命令列は、機械語列であってもよいし、または実行時に処理ユニットによって機械語列に翻訳処理されるコマンド言語列であってもよい。
非限定的な一例において、コンピュータプログラム製品ＰＧは、存在検出装置ＣＡＰＴの制御ユニットＵＣのメモリに書き込まれている。
【０２１７】
当然のことながら、本発明の存在検出装置、存在検出ユニット、および検出方法は、上述の実施形態および実施例に限定されるものではない。
【０２１８】
例えば、存在検出装置は、次のようなものであってもよい。
−  電源を共通にして、低周波信号を放射するアンテナＴＸと組み合わされた容量性の存在検出装置ＣＡＰＴ。
−  電源を共通にして、低周波信号を放射するアンテナＴＸと組み合わされた非容量性の存在検出装置ＣＡＰＴ（非限定的な一例において、光学的な存在検出装置）。
−  電源を別々にして、低周波信号を放射するアンテナＴＸと組み合わされた容量性の存在検出装置ＣＡＰＴ。
これらの３つのうち、１番目と２番目の場合は上に説明されている。３番目の場合に関しては、この場合には、１番目と２番目の場合のようにアンテナＴＸに対する電力供給を可能にするためではなくて、存在検出装置ＣＡＰＴと、低周波信号ＢＦの放射との間の容量結合および／または誘導結合を回避し、それによって、存在検出装置ＣＡＰＴが妨害されることを防止するために、存在検出装置ＣＡＰＴへの連続電力供給が絶たれるのであるから、この存在検出装置ＣＡＰＴは、より好都合に動作することは理解されると思う。このために、存在検出装置ＣＡＰＴへの電力供給が断たれていても、基準レベルが、低周波信号の放射の前に測定された値に固定され、また作動していた電流発生器が機能停止しているから、低周波信号ＢＦの放射の終了後においても、依然として、ノブＰに差し伸べられている手の存在を検出することができる。
【０２１９】
電流発生器ＧＡ／ＧＢに関する、存在検出装置ＣＡＰＴの測定手段の上述の実施形態に加えて、他の実施形態において、測定手段は、例えば次のいずれかのものを有している。
−  単一の電流発生器ＧＡＢ（測定手段の第２の実施形態）。
−  ２つの接地スイッチＴＡ／ＴＢ（測定手段の第３の実施形態）。
−  単一の接地スイッチＴＡＢ（測定手段の第４の実施形態）。
【０２２０】
したがって、図１３に示されている、測定手段の第２の実施形態において、存在検出装置ＣＡＰＴは、測定手段として、２つの検出部材ＥＡ／ＥＢに組み合わされた単一の電流発生器ＧＡＢ（単一の発生器出力電流ＩABを発生させることができる）を備えている。発生器出力電流ＩABが、第１の検出部材ＥＡ（電極セット）に対応しているか、それとも第２の検出部材ＥＢ（電極セット）に対応しているかを識別可能にするために、発生器出力電流ＩABは、制御集積回路である保存装置ＬＯＧＩＣによってタイムコード化される。そうすると、自動車ＶのコントローラＥＣＵは、得られた電流をデコードし、コードのパルス幅を測定することによって、どちらの検出部材ＥＡ／ＥＢがアクティブであるかを知ることができる。したがって、前述のように、手がノブの内側にあるか、またはノブ上にあるかを特定することができ、したがって、施錠機能と解錠機能のどちらを作動させなければならないかを推定することができる。
この測定手段の第２の実施形態においては、単一の出力しか存在せず、したがって、配線の数を減らすことができ、そのために、存在検出装置ＣＡＰＴのサイズを小さくすることができることは理解しうると思う。これによって、存在検出装置ＣＡＰＴを、自動車のノブの内部に、より容易に組み込むことができる。
さらに、電流をコード化することによって、電磁干渉に対して、より良好な耐性を得るこができる。
一変形実施例において、互いに異なる２つの発生器出力電流ＩAおよびＩBを流すことができる、単一の電流発生器ＧＡＢを設けることもできる。
【０２２１】
図１４に示されている、測定手段の第３の実施形態において、存在検出装置ＣＡＰＴは、測定手段として、検出部材ＥＡ／ＥＢにそれぞれ組み合わされた接地スイッチＴＡ／ＴＢを備えている。接地スイッチＴＡ／ＴＢは、それぞれ発生器出力電圧ＵA／ＵBを発生させることができる。
非限定的な一実施例において、接地スイッチＴＡ／ＴＢは、オープンコレクタトランジスタである。この場合には、自動車ＶのコントローラＥＣＵは、次のものを備えている。
−  各接地スイッチＴＡ／ＴＢに組み合わされた抵抗Ｒ。
−  各接地スイッチＴＡ／ＴＢに組み合わされており、かつコントローラＥＣＵのマイクロコントローラＭＩＣＲＯに接続されている入力インターフェイスＩＮＴＦ。非限定的な一例示的実施例において、この入力インターフェイスは、インバータＩＮＶである。
検出部材ＥＡ／ＥＢがアクティブであるとき、組み合わされている接地スイッチＴＡ／ＴＢは、発生器出力電圧ＵA／ＵBを出力する。自動車ＶのコントローラＥＣＵは、抵抗Ｒおよびそれに組み合わされている入力インターフェイスＩＮＴＦを介して、この発生器出力電圧ＵA／ＵBを測定することができ、その測定値に応じて、次のいずれの状況が生じているかを特定することができる。
１）触れていようといまいと、手がノブＰの内側に置かれている(入力インターフェイスがインバータＩＮＶである場合には、発生器出力電圧ＵA＝０Ｖに対応する、マイクロコントローラＭＩＣＲＯの端子電圧ＩＮＡ＝５Ｖ）。
２）手がノブＰの上に置かれている（入力インターフェイスがインバータＩＮＶである場合には、発生器出力電圧ＵB＝０Ｖに対応する、マイクロコントローラＭＩＣＲＯの端子電圧ＩＮＢ＝５Ｖ）。
３）手がノブＰの内側、かつノブＰの上にも置かれている(入力インターフェイスがインバータＩＮＶである場合には、発生器出力電圧ＵA＝ＵB＝０Ｖに対応する、マイクロコントローラＭＩＣＲＯの端子電圧ＩＮＡ＝ＩＮＢ＝５Ｖ）。
４）いかなる手も存在していない(入力インターフェイスがインバータＩＮＶである場合には、発生器出力電圧ＵA＝ＵB＝Ｖｂａｔに対応する、マイクロコントローラＭＩＣＲＯの端子電圧ＩＮＡ＝ＩＮＢ＝０Ｖ）。
したがって、端子電圧の測定値に応じて、コントローラＥＣＵは、測定手段が電流発生器ＧＡ／ＧＢ、ＧＡＢである場合において前述したように、なされた検出に対応する、自動車の錠に関するコマンド（解錠および／または施錠、またはコマンドなし）を実行することができる。
次のことを理解しうると思う。
−  検出部材ＥＡ／ＥＢがアクティブなとき（手が存在しているとき）、対応する接地スイッチＴＡ／ＴＢは導通状態にある。このとき、発生器出力電圧ＵA、ＵBは０Ｖである。すなわち、マイクロコントローラＭＩＣＲＯの対応する入力の端子電圧ＩＮＡ／ＩＮＢは、入力インターフェイスが例えばバッファである場合には０Ｖであり、入力インターフェイスがインバータである場合には５Ｖである。
−  検出部材ＥＡ／ＥＢがアクティブでないとき（手が存在していないとき）、対応する接地スイッチＴＡ／ＴＢは遮断状態にある。このとき、発生器出力電圧ＵA、ＵBはバッテリ電圧Ｖｂａｔに等しい。すなわち、マイクロコントローラＭＩＣＲＯの対応する入力の端子電圧ＩＮＡ／ＩＮＢは、入力インターフェイスが例えばバッファである場合には５Ｖであり、入力インターフェイスがインバータである場合には０Ｖである。
【０２２２】
図１５に示されている、測定手段の第４の実施形態において、存在検出装置ＣＡＰＴは、測定手段として、２つの検出部材ＥＡ／ＥＢに組み合わされた単一の接地スイッチＴＡＢ（単一の発生器出力電圧ＵABを発生させることができる）を備えている。発生器出力電圧ＵABが、第１の検出部材ＥＡ（電極セット）に対応しているか、それとも第２の検出部材ＥＢ（電極セット）に対応しているかを識別可能にするために、発生器出力電圧ＵABは、制御集積回路である保存装置ＬＯＧＩＣによってタイムコード化される。自動車ＶのコントローラＥＣＵは、前述のように、抵抗Ｒおよびそれに組み合わされている入力インターフェイスＩＮＴＦ（インバータＩＮＶであってもよい）を介して、タイムコード化された発生器出力電圧ＵABを測定し、このタイムコード化された発生器出力電圧ＵABをデコードして、パルス幅を測定することによって、どちらの検出部材ＥＡ／ＥＢがアクティブであるかを知ることができる（発生器出力電圧ＵABに対応する、マイクロコントローラＭＩＣＲＯの端子電圧ＩＮＡＢを介して)。したがって、前述のように、手がノブの内側にあるか、それともノブ上にあるかが特定され、したがって、施錠機能と解錠機能のどちらを作動させなければならないかが推定される。
この測定手段の第４の実施形態においては、単一の出力しか存在せず、したがって、配線の数を減らすことができ、そのために、存在検出装置ＣＡＰＴのサイズを小さくすることができることは理解しうると思う。これによって、存在検出装置ＣＡＰＴを、自動車のノブの内部に、より容易に組み込むことができる。
【０２２３】
測定手段の第３および第４の実施形態においては、電流測定より簡単に実行される電圧測定に基づく存在検出装置ＣＡＰＴを用いることができることは理解しうると思う。
【０２２４】
測定手段の第２の実施形態においては、第３および第４の実施形態に比して、さらに配線の数を減らすことができることは理解しうると思う。第３および第４の実施形態においては、第２の実施形態に比して、それぞれ２本および１本のさらなる配線が必要になる。
マイクロコントローラＭＩＣＲＯの端子電圧が５Ｖに限定されないことは理解しうると思う。
【０２２５】
測定手段のこれらの実施形態においても、手がノブＰに差し伸べられている期間に応じて、コントローラＥＣＵは、前述のように、少なくとも１つの助勢機能を実行することができることは明らかである。
【０２２６】
上述より、本発明は、特に、次の利点を有している。
−  自動車のユーザが、自分の手を、自動車の開口部のノブの上に置いているか、触れることなくノブの内側に置いているかを検出することによって、それぞれ、ユーザが、自動車に施錠しようと意図しているのか、開錠しようと意図しているのかを特定することができるだけではなく、自動車のユーザの手が、開口部のノブＰに長時間差し伸べられていること（ノブＰ上への長時間載置、またはノブＰの内側への、触っているかいないかにかかわらない長時間挿入）を検出することによって、ユーザが、助勢機能を働かせようと意図していることを特定することができる。
−  作動している電流発生器の機能停止によって、次のことを防止する。
・保存装置ＬＯＧＩＣのリセットを引き起こす、第２のキャパシタＣ１および入力キャパシタＣ２からの電気エネルギーの損失。
・それによる、存在検出装置ＣＡＰＴの検出部材ＥＡ／ＥＢからの基準レベルＲＥＦの値のリセット。
・それによる、ノブＰに差し伸べられている手の存在の検出能力の喪失。
・したがって、さらに、低周波信号の放射の終了後もノブＰに差し伸べられている手の存在の検出能力の喪失。
−  存在検出装置ＣＡＰＴとアンテナＴＸとが、互いに近接しているにもかかわらず、アンテナＴＸによる、容量性である存在検出装置ＣＡＰＴへの妨害を防止することができる。それによって、低周波信号ＢＦの放射中に、低周波信号ＢＦの放射の前に測定された基準レベルＲＥＦの値を保存していることができる。したがって、自動車Ｖのユーザが、自分の手を、長時間すなわち低周波信号ＢＦの放射の終了後も、ノブＰの内側に置いたままにし、および／または、ノブＰに触れたままにすると、その手は検出される。
−  動作している電流発生器の機能停止によって、保存装置ＬＯＧＩＣのリセットが防止され、したがって、どの検出部材ＥＡ／ＥＢ（電極セット）がアクティブであるかという情報の損失が防止される。したがって、検出漏れ／誤検出が防止される。
【産業上の利用可能性】
【０２２７】
上述の本発明は、上述の自動車への適用に限定されるものではないことは明白である。低周波信号の放射を用いて、検出部材の近傍の物体の存在を検出する必要のあるいかなる応用にも、本発明を適用することができる。本発明は、例えば家電製品分野、または蛇口（水噴射を開始させるために蛇口の下を通過させた手の検出）などへの応用が可能である。
【符号の説明】
【０２２８】
ＡＶ  増幅器
ＢＦ  低周波信号
Ｃ  キャパシタ
Ｃ１  第２のキャパシタ
Ｃ２  入力キャパシタ
Ｃ５  キャパシタ
Ｃ６  第４のキャパシタ
ＣＡＰＴ  存在検出装置
ＣＥ  物理量
ＣＭＰ  低周波検出素子
Ｄ１  第１のダイオード
Ｄ２  第２のダイオード
Ｄ３  第３のダイオード
Ｄ４  ダイオード
ＤＥＴＥＣＴ  検出回路
ＥＡ、ＥＢ  検出部材
ＥＣＵ  コントローラ
ＧＡ、ＧＢ、ＧＡＢ  電流発生器
ＩA、ＩB、ＩAB  発生器出力電流
ＩｂＦ  共振電流
Ｉcapt  センサ電流
Ｉidle  スタンバイ電流
ＩPSU  共通電流
ＩTX  アンテナ電流
ＩＮＡ、ＩＮＢ、ＩＮＡＢ  端子電圧
ＩＮＨ  機能停止手段
ＩＮＴＦ  入力インターフェイス
Ｌ  インダクタ
ＬＯＧＩＣ  保存装置
Ｍａｘ  最大電圧
Ｍｉｃｒｏ  マイクロコントローラ
Ｏ  物体
ＰＳＵ  存在検出ユニット
ＰＴ  分割器ブリッジ
Ｒ、Ｒ１、Ｒ２、Ｒ２’、Ｒ３、Ｒ３’、Ｒ４、Ｒ９  抵抗
ＲＣ  フィルタ
ＲＥＧ  電圧レギュレータ
Ｒｓｐ  測定抵抗
Ｓ１  第１の出力信号
Ｓ２  第２の出力信号
ＳＹＳ  ハンズフリーシステム
ｔ０〜ｔ１２  時刻
ＴＡ、ＴＢ、ＴＡＢ  接地スイッチ
ＴBF  周期
ＴＦ１  第１の時間フィルタ
ＴＦ２  第２の時間フィルタ
Ｔｎ１  遅れ時間
Ｔｎ２  復帰時間
Ｔｐ１  第１のあらかじめ定められた期間
Ｔｐ２  第２のあらかじめ定められた期間より長い期間
ＴＲ１  トランジスタ
ｔｓ  あらかじめ定められた時間周期
ＴＸ  アンテナ
ＵA、ＵB、ＵAB、ＵR9  出力電圧
ＵＣ  制御ユニット
Ｖ１〜Ｖ５  値
Ｖｂａｔ  バッテリ電圧
ＶｂＦ  共振電圧
Ｖｃ１、Ｖc2  端子間電圧
Ｖｉｎ  入力電圧
ＶＯ  測定値
Ｚ  ツェナーダイオード
【図１】
0005819608.tif 000004
【図２】
0005819608.tif 000005
【図３】
0005819608.tif 000006
【図４】
0005819608.tif 000007
【図５】
0005819608.tif 000008
【図６】
0005819608.tif 000009
【図７】
0005819608.tif 000010
【図８】
0005819608.tif 000011
【図９】
0005819608.tif 000012
【図１０】
0005819608.tif 000013
【図１１】
0005819608.tif 000014
【図１２】
0005819608.tif 000015
【図１３】
0005819608.tif 000016
【図１４】
0005819608.tif 000017
【図１５】
0005819608.tif 000018